(57)【要約】【課題】紙葉類結束装置において、テープに癖が付くことに起因して起こり得る不具合を回避する。【解決手段】紙葉類結束装置（紙幣処理装置１００）は、テープロールＴＲがセットされると共に、テープロールを、テープＴの送り出し方向及びテープの巻き取り方向に回転させるリール部と、リール部とテープ結束部（テープ輪作成部９２）との間に設けた搬送路を有し、テープ結束部が結束を行うときには、テープロールから引き出したテープを、搬送路に沿って搬送することでテープ結束部にテープを供給すると共に、テープ結束部が結束を行わないときには、テープを、搬送路に沿って連続して配設した状態で待機させるテープ搬送部と、テープ結束部が結束を行わないときに、搬送路に沿って連続して配設されたテープの張力を緩和させる特定動作を、所定のタイミングで実行する特定動作実行手段と、を備える。【選択図】図２
2016030635.tif 000002
【特許請求の範囲】
【請求項１】
集積した紙葉類をテープで結束するよう構成されたテープ結束部と、
テープロールがセットされると共に、当該テープロールを、前記テープの送り出し方向及び前記テープの巻き取り方向に回転させるよう構成されたリール部と、
前記リール部と前記テープ結束部との間に設けた搬送路を有し、前記テープ結束部が結束を行うときには、前記テープロールから引き出した前記テープを、前記搬送路に沿って搬送することで前記テープ結束部に前記テープを供給すると共に、前記テープ結束部が結束を行わないときには、前記テープを、前記搬送路に沿って連続して配設した状態で待機させるよう構成されたテープ搬送部と、
前記テープ結束部が結束を行わないときに、前記搬送路に沿って連続して配設された前記テープの張力を緩和させる特定動作を、所定のタイミングで実行するよう構成された特定動作実行手段と、を備えている紙葉類結束装置。
【請求項２】
前記特定動作実行手段は、前記リール部によって構成され、
前記リール部は、前記テープロールを前記送り出し方向に回転させる特定動作を行うことによって、前記テープの張力を緩和させるよう構成されている請求項１に記載の紙葉類結束装置。
【請求項３】
前記特定動作実行手段は、前記テープ搬送部によって構成され、
前記テープ搬送部は、前記搬送路に沿って連続して配設された前記テープを前記リール部に戻す方向に搬送する特定動作を行うことによって、前記テープの張力を緩和させるよう構成されている請求項１に記載の紙葉類結束装置。
【請求項４】
集積した紙葉類をテープで結束するよう構成されたテープ結束部と、
テープロールがセットされると共に、当該テープロールを、前記テープの送り出し方向及び前記テープの巻き取り方向に回転させるよう構成されたリール部と、
前記リール部と前記テープ結束部との間に設けた搬送路を有し、前記テープ結束部が結束を行うときには、前記テープロールから引き出した前記テープを、前記搬送路に沿って搬送することで前記テープ結束部に前記テープを供給すると共に、前記テープ結束部が結束を行わないときには、前記テープを、前記搬送路に沿って連続して配設した状態で待機させるよう構成されたテープ搬送部と、
前記テープ結束部が結束を行わないときに、前記搬送路に沿って連続して配設された前記テープの待機位置を変更する特定動作を、所定のタイミングで実行するよう構成された特定動作実行手段と、を備えている紙葉類結束装置。
【請求項５】
前記特定動作実行手段は、前記テープ結束部が前記紙葉類の結束を行わない状態が、所定時間経過したときに、前記特定動作を実行する請求項１〜４のいずれか１項に記載の紙葉類結束装置。
【請求項６】
前記特定動作実行手段は、前記テープ結束部が前記紙葉類の結束を完了したときに、前記特定動作を実行する請求項１〜４のいずれか１項に記載の紙葉類結束装置。
【請求項７】
前記特定動作実行手段は、前記テープ結束部が前記紙葉類の結束処理を行う一取引が終了したときに、前記特定動作を実行する請求項１〜４のいずれか１項に記載の紙葉類結束装置。
【請求項８】
前記テープ搬送部は、前記リール部に前記テープロールがセットされたときに、前記テープロールから引き出された前記テープを前記テープ結束部に送る方向に搬送することによって、前記テープを前記搬送路に沿って連続して配設し、
前記特定動作実行手段は、前記テープロールを前記リール部にセットしたときに、前記特定動作を実行する請求項１〜４のいずれか１項に記載の紙葉類結束装置。
【請求項９】
前記特定動作実行手段は、電源のオフ操作が行われたときに、前記特定動作を実行する請求項１〜４のいずれか１項に記載の紙葉類結束装置。
【請求項１０】
周囲温度を検出するセンサ、及び、周囲湿度を検出するセンサの少なくとも一方を備え、
前記特定動作実行手段は、前記センサの検出結果に基づいて、前記特定動作を実行する所定のタイミングを設定する請求項１〜４のいずれか１項に記載の紙葉類結束装置。
【請求項１１】
集積した紙葉類をテープで結束するよう構成されたテープ結束部と、
テープロールがセットされると共に、当該テープロールを、前記テープの送り出し方向及び前記テープの巻き取り方向に回転させるよう構成されたリール部と、
前記リール部と前記テープ結束部との間に設けた搬送路を有し、前記テープ結束部が結束を行うときには、前記テープロールから引き出した前記テープを、前記搬送路に沿って搬送することで前記テープ結束部に前記テープを供給すると共に、前記テープ結束部が結束を行わないときには、前記テープを、前記搬送路に沿って連続して配設した状態で待機させるよう構成されたテープ搬送部と、
前記テープ結束部に前記テープを供給する前に、結束を行わない間に付いた前記テープの癖を矯正するよう構成された矯正手段と、を備えている紙葉類結束装置。
【請求項１２】
集積した紙葉類をテープで結束するよう構成されたテープ結束部と、
テープロールがセットされると共に、当該テープロールを、前記テープの送り出し方向及び前記テープの巻き取り方向に回転させるよう構成されたリール部と、
前記リール部と前記テープ結束部との間に設けた搬送路を有し、前記テープ結束部が結束を行うときには、前記テープロールから引き出した前記テープを、前記搬送路に沿って搬送することで前記テープ結束部に前記テープを供給すると共に、前記テープ結束部が結束を行わないときには、前記テープを、前記搬送路に沿って連続して配設した状態で待機させるよう構成されたテープ搬送部と、を備え、
前記テープ結束部は、前記テープ搬送部によって供給された前記テープを輪状に形成すると共に、集積した前記紙葉類をテープ輪内に挿入することによって、前記紙葉類を結束するよう構成され、
前記テープ結束部はまた、所定形状の前記テープ輪が形成されたか否かを検知するよう構成されたセンサを有していて、前記センサの検知結果に基づき、所定形状の前記テープ輪が形成されていないときには、前記テープ輪を作り直し、
前記テープ結束部はさらに、結束を行わない状態が所定時間以上、継続した後で、前記紙葉類の結束を開始するときには、前記センサの検知結果を無視して前記テープ輪を作成することを所定回数行う紙葉類結束装置。
【発明の詳細な説明】
【技術分野】
【０００１】
ここに開示する技術は、集積した紙葉類を結束する紙葉類結束装置に関する。
【背景技術】
【０００２】
特許文献１には、複数枚の紙葉類を集積して結束した小束を複数束積み重ねて、テープにより結束することにより、大束を形成する紙葉類結束装置が記載されている。この装置は、テープを輪状に形成する結束部を備え、形成したテープ輪の中に、人の手によって小束を積み重ねた大束を挿入するようにし、紙葉類を結束するよう構成されている。結束部に供給されるテープは、ロール状に巻かれており、そのテープロールは、紙葉類結束装置内の所定の位置にセットされている。テープロールから引き出されたテープは、所定の搬送路を通じて、結束部に供給される。
【先行技術文献】
【特許文献】
【０００３】
【特許文献１】特開２０１０−２４７８４２号公報
【発明の概要】
【発明が解決しようとする課題】
【０００４】
特許文献１に記載されている結束装置とは異なり、紙葉類の結束を行わないときに、次の結束動作を速やかに行う観点から、テープロールから引き出されたテープを、その先端が結束部付近の所定位置となるように、搬送路に沿って連続して配設された状態で待機させることが考えられる。待機中のテープはまた、次の結束動作の際に、テープの送り量を正確に把握するために、たるみが無いよう張力を付与した状態とすることが考えられる。
【０００５】
ところが、こうした構成は、次の結束動作を速やかにかつ、正確に行うことができる反面、待機している間（ここで言う待機中は、紙葉類結束装置の電源がオンの状態で紙葉類の結束を行わないときの他にも、紙葉類結束装置の電源がオフの状態のときも含まれる）に、テープに曲がりや、ねじれ等の癖が付いてしまう可能性がある。テープに付いた癖によって、次に結束動作を行うべくテープを輪状に形成するときに、様々な支障を来す場合がある。
【０００６】
具体的な例としては、次のような不具合が生じ得る。つまり、特許文献１に記載されている結束装置は、ループの内側の壁面を含む内側ループガイドと、ループの外側の壁面を含む外側ループガイドとによって、テープをループ状に搬送する搬送路を形成し、紙葉類の結束時には、内側ループガイドを退避するように構成されているが、これとは異なり、小テープ輪を先ず作成し、そのテープ輪が大きくなるようにテープを送り出すと共に、テープの外周側を案内するガイド部によって、紙葉類の挿入が可能な所定の形状で、所定の大きさのテープ輪にする構成では、内側ループガイドが省略されると共に、その退避機構も不要になって、構成は簡略化できるが、所定の形状で、所定の大きさのテープ輪が作成されたことを遮光センサ等によって検知する場合がある。このような構成において、テープに癖が付いていたときには、テープ輪を形成したときに、所定の形状で、所定の大きさのテープ輪が作成できずに遮光センサでテープが検知できない場合や、癖が付いたテープが遮光センサをかわしてしまい、紙葉類の挿入が可能な形状のテープ輪が作成されているにも拘わらず、そのことを検知できなくなる場合がある。
【０００７】
ここに開示する技術は、かかる点に鑑みてなされたものであり、その目的とするところは、紙葉類結束装置において、テープに癖が付くことに起因して起こり得る不具合を回避することにある。
【課題を解決するための手段】
【０００８】
ここに開示する技術は、紙葉類結束装置に係り、この装置は、集積した紙葉類をテープで結束するよう構成されたテープ結束部と、テープロールがセットされると共に、当該テープロールを、前記テープの送り出し方向及び前記テープの巻き取り方向に回転させるよう構成されたリール部と、前記リール部と前記テープ結束部との間に設けた搬送路を有し、前記テープ結束部が結束を行うときには、前記テープロールから引き出した前記テープを、前記搬送路に沿って搬送することで前記テープ結束部に前記テープを供給すると共に、前記テープ結束部が結束を行わないときには、前記テープを、前記搬送路に沿って連続して配設した状態で待機させるよう構成されたテープ搬送部と、前記テープ結束部が結束を行わないときに、前記搬送路に沿って連続して配設された前記テープの張力を緩和させる特定動作を、所定のタイミングで実行するよう構成された特定動作実行手段と、を備えている。
【０００９】
この構成によると、テープ結束部がテープの結束を行わないときには、次の結束動作時にテープを速やかにテープ結束部に供給するために、テープロールから引き出されたテープは、搬送路に沿って連続して配設される。また、次の結束動作時にテープの送り量を正確に把握する上で、搬送路に沿って連続して配設されるテープには、たるみが無いように張力を付与していることが好ましい。
【００１０】
一方で、テープに張力を付与した状態のままで静止させていると、テープに癖が付く虞がある。そこで、前記の構成では、特定動作実行手段が、テープ結束部が結束を行わないときに、テープの張力を緩和させる特定動作を、所定のタイミングで実行する。こうすることで、テープに癖が付くことが防止され、テープに癖が付くことに起因する不具合の発生を回避することができる。
【００１１】
前記特定動作実行手段は、前記リール部によって構成され、前記リール部は、前記テープロールを前記送り出し方向に回転させる特定動作を行うことによって、前記テープの張力を緩和させるよう構成されている、としてもよい。
【００１２】
特定動作実行手段としてのリール部が、テープの送り出し方向にテープロールを回転させることによって、リール部とテープ結束部の間で、搬送路に沿って連続して配設されたテープの張力を緩和させることが可能になる。張力を緩和させる結果、テープに、たるみが生じるようにしてもよい。尚、次の結束動作を開始すべく、テープ結束部にテープの供給を行うときには、リール部がテープの巻き取り方向にテープロールを回転させることにより、テープのたるみを無くしてから、テープの供給を行うことが望ましい。こうすることで、テープ結束部に供給するテープ量を正確に管理することができる。
【００１３】
これとは異なり、前記特定動作実行手段は、前記テープ搬送部によって構成され、前記テープ搬送部は、前記搬送路に沿って連続して配設された前記テープを前記リール部に戻す方向に搬送する特定動作を行うことによって、前記テープの張力を緩和させるよう構成されている、としてもよい。
【００１４】
特定動作実行手段としてのテープ搬送部が、テープをリール部に戻す方向に搬送することによって、リール部とテープ結束部の間で、搬送路に沿って連続して配設されたテープの張力を緩和させることが可能になる。テープに、たるみが生じるようにしてもよいことは、前記と同じである。この構成ではまた、テープの先端位置は、変更され得る。尚、次の結束動作を開始すべく、テープ結束部にテープの供給を行うときには、例えばテープの先端を、テープ結束部に近い所定位置に位置づけた後、リール部がテープの巻き取り方向にテープロールを回転させること等によって、テープのたるみを無くした上で、テープ結束部へのテープの供給を行うことが望ましい。
【００１５】
ここに開示する紙葉類結束装置はまた、集積した紙葉類をテープで結束するよう構成されたテープ結束部と、テープロールがセットされると共に、当該テープロールを、前記テープの送り出し方向及び前記テープの巻き取り方向に回転させるよう構成されたリール部と、前記リール部と前記テープ結束部との間に設けた搬送路を有し、前記テープ結束部が結束を行うときには、前記テープロールから引き出した前記テープを、前記搬送路に沿って搬送することで前記テープ結束部に前記テープを供給すると共に、前記テープ結束部が結束を行わないときには、前記テープを、前記搬送路に沿って連続して配設した状態で待機させるよう構成されたテープ搬送部と、前記テープ結束部が結束を行わないときに、前記搬送路に沿って連続して配設された前記テープの待機位置を変更する特定動作を、所定のタイミングで実行するよう構成された特定動作実行手段と、を備えている。
【００１６】
この構成によると、テープ結束部がテープの結束を行わないときには、テープロールから引き出されたテープは、搬送路に沿って連続して配設される。次の結束動作時にテープの送り量を正確に把握する上で、搬送路に沿って連続して配設されるテープには、たるみが無いように張力が付与されていることが好ましい。また、次の結束動作時に、テープ結束部へのテープの供給を速やかに開始するために、待機中のテープの先端は、テープ結束部に近い、所定位置に位置していることが好ましい。
【００１７】
その一方で、テープの先端を所定位置に位置づけかつ、テープに張力を付与した状態のままで静止させていると、リール部とテープ結束部との間に配設されたテープにおける、特定の箇所に癖が付く虞があるが、前記の構成では、特定動作実行手段が、テープ結束部が結束を行わないときに、テープの待機位置を変更する特定動作を、所定のタイミングで実行する。
【００１８】
こうすることで、テープにおける特定の箇所に癖が付くことが防止される。これは特に、テープにおける特定の箇所に癖が付くことで不具合が発生するようなこと（例えば、前述したように、特定の箇所に癖が付いたテープが、紙葉類結束装置における所定箇所に配設されたセンサをかわしてしまうこと等）を、回避することができる。
【００１９】
また、テープに癖が付くには、ある程度長い時間、テープが継続して静止していることが条件となる。そこで、テープの待機位置を変更する動作を定期的に行うようにすれば、テープが継続して静止する時間を短くすることができるため、テープに癖が付くことが抑制される。
【００２０】
こうして、テープ結束部が結束を行わないときに、テープの待機位置を変更する特定動作を、所定のタイミングで実行することにより、テープに癖が付くことに起因する不具合の発生を回避することができる。
【００２１】
前記特定動作実行手段は、前記テープ結束部が前記紙葉類の結束を行わない状態が、所定時間経過したときに、前記特定動作を実行する、としてもよい。
【００２２】
こうすることで、テープに癖が付いてしまう前に特定動作を行うことにより、テープに、又はテープにおける特定の箇所に癖が付いてしまうことを防止又は抑制することが可能になり、テープに癖が付くことに起因する不具合の発生を回避することができる。一方で、所定時間が経過する前は、テープは、所定の待機位置でかつ、張力が付与された状態で待機しているため、その時点で紙葉類の結束動作を開始する場合は、テープ結束部へテープを速やかに供給することが可能になる。
【００２３】
前記特定動作実行手段は、前記テープ結束部が前記紙葉類の結束を完了したときに、前記特定動作を実行する、としてもよい。
【００２４】
こうすることで、次の結束動作に備えて、テープに、又はテープにおける特定の箇所に癖が付いてしまうことを効果的に防止又は抑制することが可能になる。
【００２５】
前記特定動作実行手段は、前記テープ結束部が前記紙葉類の結束処理を行う一取引が終了したときに、前記特定動作を実行する、としてもよい。
【００２６】
こうすることで、一取引中には結束動作を逐次行う場合があるが、その一取引中は特定動作を行わないため、結束動作と結束動作との間に、テープは、所定の待機位置でかつ、張力が付与された状態で待機する。これにより、結束動作の開始時にテープ結束部へのテープの供給を速やかに開始することが可能になる。従って、一取引中に１回以上、実行し得る結束動作を、スムースに行うことが可能になる。一方、一取引が終了すれば、特定動作を実行することにより、次の取引を行うまでに時間が空いたときでも、テープに、又はテープにおける特定の箇所に癖が付いてしまうことが防止又は抑制される。
【００２７】
前記テープ搬送部は、前記リール部に前記テープロールがセットされたときに、前記テープロールから引き出された前記テープを前記テープ結束部に送る方向に搬送することによって、前記テープを前記搬送路に沿って連続して配設し、前記特定動作実行手段は、前記テープロールを前記リール部にセットしたときに、前記特定動作を実行する、としてもよい。
【００２８】
テープロールがリール部にセットされたときには、紙葉類の結束動作を行うことに備えて、テープを、搬送路における所定の待機位置でかつ、張力が付与された状態で待機させることが好ましい。そこで、テープ搬送部は、テープロールから引き出されたテープを、テープ結束部に送る方向に搬送することによって、テープを搬送路に沿って連続して配設する。
【００２９】
一方で、テープロールをリール部にセットしてから、紙葉類の結束動作が実際に行われるまで、時間が空く可能性がある。そこで、特定動作実行手段は、テープロールをリール部にセットしたときに、特定動作を実行する。このことによって、テープに、又はテープにおける特定の箇所に癖が付くことを防止又は抑制することが可能になる。また、特定動作後でも、テープは搬送路に沿って連続して配設されているから、紙葉類の結束動作を開始するときには、比較的速やかに、テープ結束部にテープを供給することが可能になる。
【００３０】
前記特定動作実行手段は、電源のオフ操作が行われたときに、前記特定動作を実行する、としてもよい。
【００３１】
紙葉類結束装置の電源をオフにする操作が行われた時には、その後しばらくの間は、紙葉類の結束動作が行われないことが予想される。そこで、特定動作実行手段が、特定動作を実行することによって、テープに、又はテープにおける特定の箇所に癖が付くことを防止又は抑制することが好ましい。尚、電源をオフにする操作が行われた後も、特定動作の実行が可能なように、紙葉類結束装置には電力が供給される。例えば紙葉類結束装置が、本体電源と操作部電源との２つの電源を備えているときに、前記「電源」は、操作部電源としてもよい。こうすることで、操作部電源をオフにしても、本体電源がオンであれば紙葉類結束装置に電力を供給することが可能である。また、電源のオフ操作をした後、紙葉類結束装置への電力供給を停止することを遅延させてもよい。こうすることで、その遅延中に特定動作を行うことが可能になる。
【００３２】
また、紙葉類結束装置の電源をオフにする操作が行われた時に特定動作を実行する構成においては、紙葉類結束装置の電源をオンにしたときには、結束動作の実行に備えて、テープの先端をテープ結束部に近い所定位置に位置づけると共に、テープのたるみが無くなるように張力を付与するようにしてもよい。
【００３３】
前記紙葉類結束装置は、周囲温度を検出するセンサ、及び、周囲湿度を検出するセンサの少なくとも一方を備え、前記特定動作実行手段は、前記センサの検出結果に基づいて、前記特定動作を実行する所定のタイミングを設定する、としてもよい。
【００３４】
紙葉類の結束に用いられるテープは、テープのベースとなる紙層と、熱によって溶着する接着層とを有していることが多い。この紙層や接着層が水分を吸収し得ることから、周囲湿度が高いときや、湿度変化が大きいときには、テープに癖が付きやすい。また、例えば周囲温度が高いときや、温度変化が大きいときにも、テープに癖が付きやすい。そこで、特定動作実行手段は、温度を検出するセンサ及び／又は湿度を検出するセンサの検出結果に基づいて、特定動作を実行する所定のタイミングを設定することが好ましい。テープに癖が付きやすい温度環境及び／又は湿度環境にあるときには、特定動作の実行を促進するようにしてもよい。例えば、前述したように、テープ結束部が紙葉類の結束を行わない状態が所定時間経過したときに、特定動作を行うのであれば、その所定時間を短くするようにしてもよい。これにより、周囲環境に対応して、テープに、又はテープにおける特定の箇所に癖が付くことを、効果的に防止又は抑制することが可能になる。
【００３５】
ここに開示する紙葉類結束装置はさらに、集積した紙葉類をテープで結束するよう構成されたテープ結束部と、テープロールがセットされると共に、当該テープロールを、前記テープの送り出し方向及び前記テープの巻き取り方向に回転させるよう構成されたリール部と、前記リール部と前記テープ結束部との間に設けた搬送路を有し、前記テープ結束部が結束を行うときには、前記テープロールから引き出した前記テープを、前記搬送路に沿って搬送することで前記テープ結束部に前記テープを供給すると共に、前記テープ結束部が結束を行わないときには、前記テープを、前記搬送路に沿って連続して配設した状態で待機させるよう構成されたテープ搬送部と、前記テープ結束部に前記テープを供給する前に、結束を行わない間に付いた前記テープの癖を矯正するよう構成された矯正手段と、を備えている。
【００３６】
この構成は、前述した構成とは異なり、テープに、又はテープにおける特定の箇所に癖が付くことを防止又は抑制するのではなく、テープに付いた癖を矯正した上で、テープ結束部に供給をする。これにより、テープに癖が付くことに起因する不具合を回避する。尚、ここでいう「結束を行わない間」は、紙葉類結束装置の電源をオンにしている間に、紙葉類の結束を行わない間、の他にも、紙葉類結束装置の電源をオフにしている間も含む。
【００３７】
矯正手段は、結束を行わない状態が所定時間以上、継続した後で、紙葉類の結束を開始するときに、テープの癖を矯正するようにし、結束を行わない状態が所定時間以上、継続せずに、紙葉類の結束を開始するときには、テープには癖が付いていないとして矯正を行わないようにしてもよい。
【００３８】
ここで、テープに付いた癖の矯正としては種々の方法を採用することが可能である。一例としては、テープを厚み方向に挟持するよう配設されることで搬送路を構成する、ガイドやローラ対を利用して、テープ搬送部が、搬送路中で、テープを送り方向及び戻し方向に往復搬送することにより、テープに付いた癖を矯正するようにしてもよい。
【００３９】
加えて、ここに開示する紙葉類結束装置は、集積した紙葉類をテープで結束するよう構成されたテープ結束部と、テープロールがセットされると共に、当該テープロールを、前記テープの送り出し方向及び前記テープの巻き取り方向に回転させるよう構成されたリール部と、前記リール部と前記テープ結束部との間に設けた搬送路を有し、前記テープ結束部が結束を行うときには、前記テープロールから引き出した前記テープを、前記搬送路に沿って搬送することで前記テープ結束部に前記テープを供給すると共に、前記テープ結束部が結束を行わないときには、前記テープを、前記搬送路に沿って連続して配設した状態で待機させるよう構成されたテープ搬送部と、を備える。
【００４０】
そして、前記テープ結束部は、前記テープ搬送部によって供給された前記テープを輪状に形成すると共に、集積した前記紙葉類をテープ輪内に挿入することによって、前記紙葉類を結束するよう構成され、前記テープ結束部はまた、所定形状の前記テープ輪が形成されたか否かを検知するよう構成されたセンサを有していて、前記センサの検知結果に基づき、所定形状の前記テープ輪が形成されていないときには、前記テープ輪を作り直し、前記テープ結束部はさらに、結束を行わない状態が所定時間以上、継続した後で、前記紙葉類の結束を開始するときには、前記センサの検知結果を無視して前記テープ輪を作成することを所定回数行う。
【００４１】
この構成は、テープ輪を作成したときに、テープに付いた癖に起因してテープがセンサをかわしてしまい、センサがテープを検知することができなくなる不具合を解消する。センサは、テープ輪が所定形状に形成されたか否かを検知するセンサであり、この「所定形状」は、テープ輪の中に紙葉類を挿入して結束が可能となるような所望の形状を意味する。センサの検知に基づいて、所定形状のテープ輪が形成されていないときに、テープ輪を作り直すことによって、紙葉類の結束を確実に行うことが可能になる。
【００４２】
その一方で、テープに付いた癖によって、センサの検出精度が低下してしまうときには、センサの誤検知に従って、所定形状のテープ輪が形成されているにも拘わらず、テープ輪を作り直すことが起こり得る。これは、結束動作の遅れを招く。また、センサが誤検知を繰り返す結果、エラーとなることも起こり得る。これは、結束処理のさらなる遅れを招く。
【００４３】
そこで、テープに付いた癖によってセンサの検出精度が低下してしまう可能性があるときには、センサによる検知結果を無視して、テープ輪を作成する。具体的には、前述の通り、テープ結束部は、結束を行わない状態が所定時間以上、継続した後で、紙葉類の結束を開始するときには、テープ結束部に供給されるテープには癖が付いている可能性があるため、センサの検知結果を無視してテープ輪を作成する。こうすることで、センサの検出精度が低いときにセンサの誤検出に従って、テープ輪を作り直すことがなくなり、紙葉類の結束動作を速やかに完了させることが可能になる。
【００４４】
センサの検知を無視してテープ輪を作成することは、所定回数、行う。所定回数は、リール部とテープ結束部との間で搬送路に沿って連続して配設されるテープの長さに依る。つまり、結束を行わない間に付くテープの癖は、リール部とテープ結束部との間で搬送路に沿って連続して配設されている箇所に付く。そのため、所定回数分のテープ輪を作成した後に、テープ結束部に供給されるテープには、癖が付いていない。所定回数は、装置の構成に応じて適宜設定すればよく、例えば１回や２回としてもよい。
【発明の効果】
【００４５】
前記紙葉類結束装置によれば、テープに癖が付くことに起因する不具合を回避することができる。
【図面の簡単な説明】
【００４６】
【図１】紙幣処理装置の外観図である。
【図２】紙幣処理装置の概略構成図である。
【図３】テープセット部の構成を示す平面図である。
【図４】テープ把持部の斜視図であり、（Ａ）は、テープ把持部の閉状態を示し、（Ｂ）は、テープ把持部の開状態を示す。
【図５】紙幣処理装置の概略構成を示すブロック図である。
【図６】第２搬送部が紙幣を結束スタッカから抜き出した状態の図である。
【図７】第２搬送部が紙幣をテープ輪の側方まで搬送した状態の図である。
【図８】テープ把持部がテープの先端部を把持した状態の図である。
【図９】テープ把持部がテープの先端部を把持した状態で回転し始めた状態の図である。
【図１０】テープ把持部が小テープ輪を作成した状態の図である。
【図１１】大テープ輪が作成された状態の図である。
【図１２】紙幣の厚み方向を向いて見たときの、紙幣が大テープ輪へ搬送されて、紙幣にテープが巻き付けられるまでの各部の動作説明図であって、（Ａ）は、紙幣が大テープ輪へ搬送される直前の状態、（Ｂ）は、紙幣が大テープ輪へ搬送された状態、（Ｃ）は、紙幣にテープが巻き付けられた状態を示す。
【図１３】クランプ部が紙幣を押圧したときのガイド部の状態の図である。
【図１４】テープの接合、切断及び押印の説明図であり、（Ａ）は、第１及び第２テープ押えがテープを押さえた状態を示し、（Ｂ）は、ヒータがテープを溶着し、カッタがテープを切断した状態を示す。
【発明を実施するための形態】
【００４７】
以下、実施形態を図面に基づいて詳細に説明する。
【００４８】
〈紙幣処理装置の概略構成〉
図１は、紙葉類結束装置としての紙幣処理装置１００の外観図を示し、図２は、紙幣処理装置１００の概略構成図を示す。
【００４９】
紙幣処理装置１００は、例えば銀行のテラーカウンタに設置され、オペレータによって使用される。紙幣処理装置１００は、バラ状態の紙幣を取り込み、所定の種類の紙幣を集積し、該紙幣を所定の結束枚数で結束して投出する。
【００５０】
紙幣処理装置１００は、紙幣が載置され、該紙幣を取り込むホッパ部２と、紙幣を識別する識別部３と、結束対象の紙幣を集積する結束スタッカ４と、結束対象でない紙幣を集積する非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する第１搬送部７と、結束スタッカ４に集積された紙幣を所定の位置まで搬送する第２搬送部８と、第２搬送部８により搬送された紙幣を結束する結束部９と、結束された紙幣（以下、「結束紙幣」という）を搬送する第３搬送部１０と、結束紙幣を投出する投出部１１と、識別部３、結束スタッカ４、非結束スタッカ５、リジェクトスタッカ６、第１搬送部７、第２搬送部８、結束部９及び第３搬送部１０を収容する箱状の筐体１２とを備えている。
【００５１】
筐体１２の内部は、紙幣の識別及び分類に関する処理を行う第１処理部１２６と、結束対象の紙幣の結束に関する処理を行う第２処理部１２７とに別れている。第２処理部１２７は、第１処理部１２６の上方に設けられている。第１処理部１２６には、ホッパ部２、識別部３、非結束スタッカ５及びリジェクトスタッカ６が含まれる。第２処理部１２７には、結束スタッカ４、第２搬送部８、結束部９及び第３搬送部１０が含まれる。第１搬送部７の大部分は、第１処理部１２６に含まれている。
【００５２】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。結束対象の紙幣として集積する紙幣は、適宜設定することができる。
【００５３】
非結束スタッカ５は、第１及び第２非結束スタッカ５Ａ，５Ｂの２つのスタッカを含んでいる。第１及び第２非結束スタッカ５Ａ，５Ｂは、第１処理部１２６内において実質的に水平方向に並んで配置されている。
【００５４】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣が短手方向に取り込まれていくように、紙幣がホッパ部２に載置される。
【００５５】
紙幣センサ２５は、取込口２４の近傍に設けられている。紙幣センサ２５は、光を送信する送信部と光を受信する受信部とを有し、送信部から出射されて受信部に到達する光が遮断されることによって紙幣を検知する。尚、後述する通過センサ７４、第１テープセンサ９２１０、第２テープセンサ９２１１も同様の構成をしている。紙幣センサ２５は、載置台２１上に載置された紙幣により光が遮断されるように配置されている。つまり、紙幣センサ２５は、光が遮断されることによって、載置台２１上に紙幣が載置されていることを検知することができる。
【００５６】
第１搬送部７は、搬送ベルト等で構成されている。第１搬送部７は、主搬送路７１と、主搬送路７１から分岐する第１〜第４分岐路７２ａ〜７２ｄと、主搬送路７１からの分岐箇所に設けられた振り分け機構７３と、紙幣の通過を検知する複数の通過センサ７４とを有している。第１搬送部７は、紙幣をその短手方向に搬送していく。
【００５７】
識別部３は、主搬送路７１のうち第１分岐路７２ａよりも上流側に設けられている。識別部３は、搬送される紙幣の一枚一枚について、その金種、真偽及び正損を識別するように構成されている。具体的には、識別部３は、ラインセンサ３１及び磁気センサ３２を有し、紙幣の特徴を取得する。識別部３は、紙幣の特徴が、記憶している各種紙幣の特徴と一致するかを判定し、金種、真偽、及び正損を識別する。
【００５８】
結束部９は、集積された紙幣を結束する。詳しくは後述するが、結束部９は、テープ輪Ｌを作成し、該テープ輪Ｌの中へ紙幣が搬送された後にテープを引き戻し、紙幣をテープで結束する。
【００５９】
第２搬送部８は、結束スタッカ４に集積された紙幣を把持して、該紙幣をテープ輪Ｌの中へ搬送する。第２搬送部８は、紙幣を把持する把持ユニット８１と、把持ユニット８１を水平方向であって且つ紙幣の短手方向（以下、「第１水平方向」という）へ移動させる第１水平移動機構と、把持ユニット８１を水平方向であって且つ紙幣の長手方向（以下、「第２水平方向」という）へ移動させる第２水平移動機構と、把持ユニット８１を上下方向へ移動させる上下移動機構とを有している。
【００６０】
把持ユニット８１は、上アーム部８１ａと、上アーム部８１ａと相対向する下アーム部８１ｂと、上アーム部８１ａを上下方向へ移動させる把持機構とを有している。上アーム部８１ａと下アーム部８１ｂとで紙幣を把持することができる。
【００６１】
第３搬送部１０は、結束紙幣を投出部１１まで搬送する。第３搬送部１０は、上把持部１０１と、下把持部１０２と、上把持部１０１及び下把持部１０２を第１水平方向へ移動させる水平移動機構とを有している。
【００６２】
筐体１２の側面には、図１に示すように、紙幣処理装置１００への情報を入力する操作部であり且つ紙幣処理装置１００の情報を表示する表示部であるタッチパネル１７が設けられている。タッチパネル１７は、紙幣処理装置１００を操作するオペレータに対するヒューマンインターフェース部分である。
【００６３】
図６、７に、結束スタッカ４及び結束部９の概略構成図を示す。
【００６４】
結束スタッカ４は、紙幣Ｂを積み重ねて集積する。結束スタッカ４は、紙幣Ｂを集積する容器４０と、容器４０内に配置され、紙幣Ｂが載置されるステージ４１と、搬送されてきた紙幣Ｂを容器４０へ搬入する羽根車４２と、筐体１２の側面に開口する第１取出口４７を開閉する扉４３（図１参照）と、容器４０の天井を規定する天板４４とを有している。
【００６５】
〈結束部９の詳細構成〉
結束部９は、図２に示すように、テープＴを供給するテープ供給部９１と、テープＴでテープ輪Ｌを作成するテープ輪作成部９２と、紙幣Ｂを前記テープＴで結束するときに該紙幣Ｂを集積方向に押圧するクランプ部９４（図６、７参照）と、テープＴを紙幣Ｂに巻き付けた状態でテープＴ同士を接合するヒータ９５と、テープＴを紙幣Ｂに巻き付けられていない位置で切断するカッタ９６と、テープＴに印字する印字部９７と、テープＴに押印する押印部９８とを有している。
【００６６】
テープ供給部９１は、ロール状に巻かれたテープＴからなるテープロールＴＲがセットされるテープセット部９１１と、テープロールＴＲから引き出されたテープＴを搬送するテープ搬送部９１２と、を有している。テープセット部９１１は、図３に示すように、テープロールＴＲが外挿されるリール９１１１と、リール９１１１が固定されかつ、上下方向に延びる回転軸回りにリール９１１１と共に回転可能なリール台９１１２と、を備えている。リール９１１１及びリール台９１１２が、リール部に対応する。リール台９１１２は、図示を省略するステッピングモータにより回転駆動され、テープＴの送り出し方向、及び、テープＴの巻き取り方向のそれぞれに回転可能である。リール台９１１２上に載置されたテープロールＴＲは、リール台９１１２と共に回転することで、テープＴを送り出す又はテープＴを巻き取る。テープセット部９１１は、リール台９１１２にセットされているテープロールＴＲのテープＴが無くなりそうなことを検知するニアエンプティセンサ９１１３を備えている。ニアエンプティセンサ９１１３は、テープロールＴＲの外周面に当接するよう付勢されることで、テープロールＴＲのテープの量（つまり、テープロールＴＲの外径）に応じて、上下方向に延びる軸回りに回転する検出レバー９１１４と、その検出レバー９１１４が、図３に一点鎖線で示すように、テープＴが無くなりそうな所定位置にまで回動したことを検知するリミットスイッチ９１１５とを備えて構成されている。
【００６７】
テープロールＴＲから引き出されたテープＴは、変換ローラ９１１６に巻き掛けられた後、テープ搬送部９１２に送られる。変換ローラ９１１６は、リール部から後述するテープ輪作成部９２までの間に設けた搬送路の一部を構成する。よって、変換ローラ９１１６は、テープ搬送部９１２の一部も構成することになる。この紙幣処理装置１００は、その内部のレイアウトの関係上、テープセット部９１１では、テープロールＴＲの回転中心軸を上下方向にする一方で、詳細は後述するが、ここから引き出されたテープＴによってテープ輪Ｌを形成するテープ輪作成部９２（テープ結束部に相当）では、水平方向に延びる軸を中心としてテープ輪Ｌを作成する。そのため、テープＴは、変換ローラ９１１６に巻き掛けられた後、テープ搬送部９１２に送られるまでの間で、略９０°ねじられている（図３の「ねじれ発生箇所」参照）。
【００６８】
図２に示すように、テープセット部９１１は、筐体１２内の上部に配設されており、筐体１２に設けられた開閉蓋１２１を開けることで、テープセット部９１１は、上向きに開放される。これにより、テープセット部９１１にテープロールＴＲをセットしたり、テープセット部９１１のテープロールＴＲを交換したりすることが可能になる。
【００６９】
テープセット部９１１に新たなテープロールＴＲをセットするときには、開閉蓋１２１を開けた後、新たなテープロールＴＲをリール台９１１２にセットする。その後、オペレータによりテープロールＴＲからテープＴが引き出され、テープＴを変換ローラ９１１６に巻き掛けた後、テープＴの先端を、テープ搬送部９１２に挿入する。その状態で、開閉蓋１２１を閉める。すると、テープ搬送部９１２は、第１テープセンサ９２１０がテープＴの先端を検出するまで、テープＴをテープ輪作成部９２の方に搬送し、その後、テープセット部９１１のステッピングモータが、テープＴを巻き取る方向に、テープロールＴＲを回転させることで、テープＴの途中のたるみを無くす。こうして、テープＴを、その先端を、テープ輪作成部９２の近くの所定の待機位置に位置づけつつ、リール部からテープ輪作成部９２までの間で、所定の搬送路に沿って連続して配設した状態でかつ、張力を付与した状態の待機状態とすることができる。この紙幣処理装置１００は基本的に、紙幣の結束を行わない間（後述する操作部電源スイッチ１００２をオフにすることで、紙幣処理装置１００の電源をオフにしている間も含む）、テープＴは、前記待機状態となっている。
【００７０】
テープ搬送部９１２は、その構成の詳細な図示は省略するが、テープＴを所定の搬送路に沿って搬送する。テープ搬送部９１２は、テープＴを厚み方向に挟持するように設けられた、ガイド（図示省略）と複数のローラ対（後述する送り出しローラ対９２０を含む）とを有している。これらのローラ対が正転及び逆転することによって、テープＴをテープ輪作成部９２に送り出したり、テープＴをテープセット部９１１に引き戻したりすることが可能になる。尚、テープ搬送部９１２のローラ対を駆動する搬送モータは、前述したテープセット部９１１においてリール台９１１２を駆動するステッピングモータから独立しており、テープ搬送部９１２と、テープセット部９１１とは、互いに独立して駆動をする。
【００７１】
テープ輪作成部９２は、テープＴでテープ輪Ｌを作成し、集積された紙幣Ｂが該テープ輪Ｌの中に配置された後に該テープＴを引き戻して該テープＴを該紙幣Ｂに巻き付ける。テープ輪作成部９２は、図８〜１１に示すように、テープＴの送り出し及び引き戻しを行う送り出しローラ対９２０と、テープＴの先端部を把持するテープ把持部９２１と、テープＴでテープ輪Ｌを作成する際にテープ輪Ｌの形状を規定するガイド部９２５と、テープＴの先端を検知する第１テープセンサ９２１０と、大テープ輪Ｌ２が作成されたことを検知する第２テープセンサ９２１１とを有している。テープ輪作成部９２は、テープ把持部９２１によりテープＴで小テープ輪Ｌ１を作成した後、送り出しローラ対９２０によりテープＴを送り出すことによって該小テープ輪Ｌ１を大きくして大テープ輪Ｌ２を作成する。その際、ガイド部９２５は、テープＴを案内して、大テープ輪Ｌ２の形を規定し、第２テープセンサ９２１１は、大テープ輪Ｌ２の形成を検知する。
【００７２】
送り出しローラ対９２０は、ステッピングモータにより駆動され、テープ輪Ｌを作成する際にテープＴを送り出す一方、紙幣Ｂがテープ輪Ｌの中へ配置された後はテープＴを紙幣Ｂに巻き付けるべくテープＴを引き戻す。送り出しローラ対９２０は、テープ搬送部９１２の下流端部に位置し、テープ搬送部９１２の一部も構成する。送り出しローラ対９２０は、送り出し部の一例である。尚、テープ搬送部９１２のローラ対も、送り出しローラ対９２０のモータによりベルト及びギア等を介して駆動される。
【００７３】
第１テープセンサ９２１０は、テープＴの搬送路中であって、送り出しローラ対９２０とテープ把持部９２１との間に設けられている。第１テープセンサ９２１０は、紙幣センサ２５と同様の構成をしている。第１テープセンサ９２１０は、光が遮断されることによってテープＴを検知する。例えば、送り出しローラ対９２０がテープＴを引き戻し、第１テープセンサ９２１０において光が遮断された状態から光が受信される状態となったことをもってテープＴの先端を検知することができる。第１テープセンサ９２１０の配設位置は、待機中のテープＴの先端が位置する所定の待機位置に相当する。
【００７４】
テープ把持部９２１は、送り出しローラ対９２０から送り出されるテープＴを受け取ることが可能な位置に配置されている。テープ把持部９２１は、テープＴを把持可能に且つ、テープＴを把持した状態で回転可能に構成されている。テープ把持部９２１は、送り出しローラ対９２０から送り出されたテープＴの先端部を把持した状態で回転することによってテープ輪Ｌを作成する。
【００７５】
図４に、テープ把持部９２１の斜視図を示す。図４（Ａ）は、テープ把持部９２１の閉状態を示し、図４（Ｂ）は、テープ把持部９２１の開状態を示す。図４（Ｂ）は、テープ把持部９２１の一部を破断して描いている。
【００７６】
テープ把持部９２１は、ベース部９２２と、可動部９２３と、回転シャフト９２４とを有している。ベース部９２２は、平板状のベース板９２２ａと、ベース板９２２ａに一体的に設けられたベースブロック９２２ｂとを有している。ベース板９２２ａには、互いに平行に延びる第１及び第２凹溝９２２ｃ，９２２ｄが形成されている。第１及び第２凹溝９２２ｃ，９２２ｄは、テープ幅方向に延びている。ベースブロック９２２ｂには、回転シャフト９２４が回転自在に挿通されている。これによりベース部９２２は、回転シャフト９２４を中心軸として、回転シャフト９２４から独立して回転可能となるように、この回転シャフト９２４に支持されている。ベースブロック９２２ｂにはまた、後述するロックピン９２１４が挿入される係止部９２２ｅが、上向きに開口して設けられている。
【００７７】
回転シャフト９２４はテープ幅方向に延びており、回転シャフト９２４は、図示は省略するステッピングモータにより回転駆動される。可動部９２３は、ベース板９２２ａと対向して配置されると共に、回転シャフト９２４の先端に回転シャフト９２４に対して回転不能に固定されている。可動部９２３は、回転シャフト９２４を介して回転駆動される。可動部９２３は、回転シャフト９２４の先端に取り付けられる取付部９２３ａと、取付部９２３ａのうち回転シャフト９２４から偏心した位置に設けられ、回転シャフト９２４と平行（即ち、テープ幅方向）に延びる押え部９２３ｂと、押え部９２３ｂの両端に設けられた第１及び第２ガイド部９２３ｃ，９２３ｄとを有している。第１ガイド部９２３ｃは、取付部９２３ａとの間にガイド溝９２３ｅを形成している。
【００７８】
回転シャフト９２４がその軸回りの一方側に回転すると、可動部９２３は、図４（Ａ）に示すようにベース板９２２ａと重なり合った状態となる。この状態をテープ把持部９２１の閉状態と称する。一方、回転シャフト９２４がその軸回りの他方側に回転すると、可動部９２３は、図４（Ｂ）に示すようにベース板９２２ａとの間に隙間が形成された状態となる。この状態をテープ把持部９２１の開状態と称する。テープ把持部９２１が開状態のときに、図４（Ｂ）に仮想的に示すように、可動部９２３とベース板９２２ａとの間にテープＴが挿入可能となる。その後、テープ把持部９２１を閉状態とすることによって、可動部９２３とベース板９２２ａとの間でテープＴを把持する。
【００７９】
図４（Ｂ）に示すように、回転シャフト９２４には、ねじりコイルばね９２４ｅが外挿されている。ねじりコイルばね９２４ｅは、ベース部９２２のベースブロック９２２ｂに内蔵されている。ねじりコイルばね９２４ｅの一端部は、ベース部９２２に係合し、ねじりコイルばね９２４ｅの他端部は、図４（Ｂ）には示されていないが、可動部９２３の取付部９２３ａに係合している。ねじりコイルばね９２４ｅは、テープ把持部９２１が閉状態となる方向に、ベース部９２２及び可動部９２３を、互いに回転付勢している。ねじりコイルばね９２４ｅの回転付勢力によって、可動部９２３とベース板９２２ａとが重なり合った状態が維持される。
【００８０】
テープ把持部９２１の閉状態において、可動部９２３の押え部９２３ｂは、ベース板９２２ａのうち第２凹溝９２２ｄに隣接する部分と重なり合っている（図１４も参照）。つまり、第２凹溝９２２ｄは、押え部９２３ｂに隣接する位置において露出している。このとき、第１及び第２ガイド部９２３ｃ、９２３ｄは、ベース板９２２ａに直交する方向へ延びている。同様に、ガイド溝９２３ｅも、ベース板９２２ａに直交する方向へ延びている。
【００８１】
ベースブロック９２２ｂの真上には、ロックピン９２１４が上下方向に往復動可能に設けられている。ロックピン９２１４は、ベース部９２２の係止部９２２ｅに進退する。ロックピン９２１４は、上下方向に延びる丸棒状の部材であり、その下端部は、先細りに形成されている。ロックピン９２１４の下端部は、後述するように、ベースブロック９２２ｂに設けられた係止部９２２ｅに進入するが、下端部を先細りに形成することで、ロックピン９２１４は、係止部９２２ｅに進入し易くなる。
【００８２】
図４（Ｂ）に示すように、ロックピン９２１４が下方に移動をしたときには、先細りの下端部がベースブロック９２２ｂに設けた係止部９２２ｅ内に進入する。この状態は、ベース部９２２の回転を阻止するロック状態である。このロック状態で、前述したように、ステッピングモータが一方側に駆動をすれば、回転シャフト９２４の回転に伴い、可動部９２３のみが回転をする。その結果、テープ把持部９２１は開状態となる。これに対し、図４（Ａ）に示すように、ロックピン９２１４が上方に移動をして、ロックピン９２１４の下端部が係止部９２２ｅ内から後退した状態は、ベース部９２２の回転を許容するアンロック状態である。このアンロック状態で、ステッピングモータが一方側に駆動をすれば、回転シャフト９２４の回転に伴い、ねじりコイルばね９２４ｅの回転付勢力によって、ベース部９２２と可動部９２３とが一体的に回転をする。その結果、テープ把持部９２１は、開状態の時にテープＴを挿入しておけば、ベース板９２２ａと可動部９２３とでテープＴを把持した状態で回転シャフト９２４回りに回転することになる。
【００８３】
図８〜１１に、ガイド部９２５の正面図を示す。ガイド部９２５は、大テープ輪Ｌ２を作成するときに、該大テープ輪Ｌ２の外周面に接触して該大テープ輪Ｌ２の形状を規定する。ガイド部９２５は、大テープ輪Ｌ２を略長方形状、詳しくは、角部が湾曲した長方形状に規定する。
【００８４】
ガイド部９２５は、大テープ輪Ｌ２の下側から大テープ輪Ｌ２の外周面に接触する下ガイド部９２６と、水平方向から大テープ輪Ｌ２の外周面に接触する第１側方ガイド部９２７及び第２側方ガイド部９２８と、長方形の４つの角部に対応する４つの第１〜第４コーナーガイド部９２９ａ〜９２９ｄとを有している。
【００８５】
下ガイド部９２６には、図１４に拡大して示すように、テープＴの摺動性を向上させる複数のローラ９２６ｃ，９２６ｃ，…が設けられている。下ガイド部９２６には、後述する押印部９８のスタンプ９８１が貫通する貫通孔９２６ｄが設けられている。
【００８６】
下ガイド部９２６の長手方向両端部には、第１コーナーガイド部９２９ａ及び第２コーナーガイド部９２９ｂが設けられている。第１コーナーガイド部９２９ａは、下ガイド部９２６と第１側方ガイド部９２７とで形成される角部に位置するテープＴを湾曲させる。第２コーナーガイド部９２９ｂは、下ガイド部９２６と第２側方ガイド部９２８とで形成される角部に位置するテープＴを湾曲させる。
【００８７】
下ガイド部９２６には、移動機構が設けられており、移動機構によって上下に移動可能に構成されている（図１３参照）。この移動機構は、後述する下クランプ部９４３，９４４の移動機構と共通である。
【００８８】
第１側方ガイド部９２７は、下ガイド部９２６の長手方向の結束スタッカ４側の端部において上下方向に延びている。
【００８９】
第２側方ガイド部９２８は、下ガイド部９２６の長手方向の投出部１１側の端部において上下方向に延びている。第２側方ガイド部９２８は、支持部によって上下に移動可能に支持されると共に、リンクを介して下ガイド部９２６に連結されている。これにより、第２側方ガイド部９２８は、下ガイド部９２６の上昇に連動して上昇し、下ガイド部９２６の下降に連動して下降する。尚、第２側方ガイド部９２８の移動量は、リンクにより増幅されている。第２側方ガイド部９２８は、結束紙幣Ｂを搬送するときに、該結束紙幣Ｂの搬送を阻害しないように上方へ退避するように構成されている。
【００９０】
また、第１コーナーガイド部９２９ａ及び第２コーナーガイド部９２９ｂの上方であって、テープ把持部９２１と略同じ高さには、第３コーナーガイド部９２９ｃ及び第４コーナーガイド部９２９ｄが設けられている。第３コーナーガイド部９２９ｃは、第１側方ガイド部９２７に隣接して設けられている。第４コーナーガイド部９２９ｄは、第２側方ガイド部９２８に隣接して設けられている。
【００９１】
第２テープセンサ９２１１は、紙幣センサ２５と同様の構成をし、光が遮断されることによってテープＴを検知する。第２テープセンサ９２１１の受信部は、図８等に示すように、第４コーナーガイド部９２９ｄに取り付けられている。第２テープセンサ９２１１の送信部は、該送信部からの光が第４コーナーガイド部９２９ｄに案内されているテープＴによって遮断される位置に配置されている。つまり、第２テープセンサ９２１１は、送信部が光を送信しても受信部が光を受信しないことをもって、第４コーナーガイド部９２９ｄがテープＴを案内していること、即ち、テープ輪Ｌが所定の大きさになったことを検知する。
【００９２】
クランプ部９４は、紙幣Ｂを前記テープＴで結束するときに該紙幣Ｂを集積方向に押圧する。クランプ部９４は、紙幣Ｂのうち、テープＴで結束される結束予定部分の近傍部分を押圧する。クランプ部９４は、テープ輪Ｌの中へ搬送された紙幣Ｂの上方に設けられた一対の上クランプ部９４１（尚、図６等には、一対の上クランプ部の一方のみを図示する）と、該紙幣Ｂの下方に設けられた一対の下クランプ部９４３，９４４（図１２参照）と、を有している。
【００９３】
ここで、下クランプ部９４３，９４４は、ガイド部９２５の下ガイド部９２６と一体的に構成されている。つまり、下クランプ部９４３，９４４及び下ガイド部９２６は、一体的に上下に移動する。
【００９４】
ヒータ９５は、テープＴを紙幣Ｂに巻き付けた状態でテープＴ同士を接合する。テープＴは、詳細な図示は省略するが、その裏面側に接着層が設けられており、ヒータ９５は、テープＴを加熱することにより接着層を溶融させ、テープＴ同士を溶着する。ヒータ９５は、接合部の一例である。
【００９５】
カッタ９６は、テープＴを紙幣Ｂに巻き付けられていない部分、即ち、テープＴのうち紙幣Ｂを結束して余った部分を切断する。カッタ９６の先端は、鋸歯状の切断刃が設けられている。
【００９６】
ヒータ９５及びカッタ９６は、ユニット化されて、テープ輪Ｌの中へ配置される紙幣Ｂに対して押印部９８とは反対側、具体的には、紙幣Ｂの集積方向において押印部９８とは反対側に配置されている。より詳しくは、ヒータ９５及びカッタ９６は、テープ把持部９２１の上方に配置されている。ヒータ９５は、テープ把持部９２１のベース板９２２ａの上でテープＴを接合する。カッタ９６は、テープ把持部９２１のベース板９２２ａの上でテープＴを切断する。
【００９７】
印字部９７は、図２に示すように、テープ搬送部９１２に設けられている。印字部９７は、テープ搬送部９１２により搬送されるテープＴの表面に印字を行う。印字部９７は、例えば、結束される紙幣Ｂに関連する情報（例えば、金種、日時、連続番号等）をテープＴに印字する。印字部９７の印字位置は、印字が押印部９８による押印と重ならないように、押印部９８による押印予定部分に対してテープ幅方向にずれている。
【００９８】
押印部９８は、前記クランプ部９４で紙幣Ｂを圧縮し且つ該紙幣ＢにテープＴを巻き付けた状態で該テープＴに押印する。押印部９８は、例えば、結束される紙幣Ｂに関連する印（例えば、金融機関印、正券又は損券等の紙幣の種類を表す印等）をテープＴの表面に押印する。押印部９８は、図１４に示すように、テープ輪Ｌの中へ配置される紙幣Ｂに対してヒータ９５及びカッタ９６とは反対側、具体的には、紙幣Ｂの集積方向においてヒータ９５及びカッタ９６とは反対側に配置されている。押印部９８は、スタンプ９８１と、スタンプ９８１を上下方向に移動させる移動機構とを有している。
【００９９】
〈紙幣処理装置のシステム構成〉
図５に、紙幣処理装置１００の概略構成を示すブロック図を示す。
【０１００】
紙幣処理装置１００は、例えば周知のマイクロコンピュータをベースとした制御部１２０を備えている。制御部１２０には、前述したホッパ部２、識別部３、結束スタッカ４、非結束スタッカ５、リジェクトスタッカ６、第１搬送部７、第２搬送部８、結束部９、第３搬送部１０及びタッチパネル１７が、信号の送受信可能に接続されている。また、制御部１２０には、紙幣センサ２５、通過センサ７４、第１テープセンサ９２１０、第２テープセンサ９２１１が接続され、それらの検出信号が入力されるように構成されている。制御部１２０は、タッチパネル１７からの入力信号及び各種センサからの検知信号等に基づいて制御信号を生成し、ホッパ部２等へ該制御信号を出力する。ホッパ部２等は、その制御信号に従って動作する。
【０１０１】
また、この紙幣処理装置１００は、当該装置１００に必要な電力を供給するための本体電源スイッチ（つまり、主電源）１００１と、当該装置１００の機能を動かすための操作部電源スイッチ（つまり、副電源）１００２とを備えており、通常は、本体電源スイッチ１００１はオンのままで、紙幣処理装置１００の使用時に、操作部電源スイッチ１００２をオンにし、紙幣処理装置１００の不使用時に、操作部電源スイッチ１００２をオフにする。
【０１０２】
〈紙幣処理装置の動作説明〉
以下、紙幣処理装置１００の入金処理について説明する。入金処理においては、バラ状態の紙幣が分類され、所定のスタッカに集積され、さらには、所定の紙幣については結束される。以下では、結束対象の所定の一種類の紙幣を第１及び第２結束スタッカ４Ａ，４Ｂに所定枚数ずつ交互に集積し、該所定枚数集積した紙幣を順次、結束部９により結束する同一種類結束処理について説明する。
【０１０３】
まず、オペレータは顧客から入金すべきバラ状態の紙幣を受け取り、該紙幣をホッパ部２へ載置する。このとき、バラ状態の紙幣に複数種類の紙幣が混在していたとしても、それらを分類することなく、ホッパ部２へ載置する。オペレータは、紙幣の寸法に合わせて、ガイド部２２を調整する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【０１０４】
ホッパ部２に載置された紙幣は、取込ローラ２３が作動することにより１枚ずつ取込口２４から、筐体１２内へ取り込まれていく。取り込まれた紙幣は、第１搬送部７により搬送され、識別部３を通過する。識別部３は、通過する紙幣の紙幣種別を取得し、その紙幣種別を制御部１２０へ通知する。
【０１０５】
制御部１２０は、紙幣の種類に応じて、紙幣に対応する搬送先を決定する。具体的には、紙幣が結束対象の所定金種の紙幣であって且つ正券紙幣であるときには、制御部１２０は、搬送先を結束スタッカ４（４Ａ及び４Ｂの何れか一方）とする。紙幣が結束対象の所定金種の紙幣であって且つ損券紙幣であるときには、制御部１２０は、搬送先を第１非結束スタッカ５Ａとする。紙幣が所定金種以外の金種の紙幣であるときには、制御部１２０は、搬送先を第２非結束スタッカ５Ｂとする。紙幣がリジェクト紙幣であるときには、制御部１２０は、搬送先をリジェクトスタッカ６とする。
【０１０６】
結束スタッカ４に搬送される紙幣は、２つの結束スタッカ４のうち一方の結束スタッカ４へ搬送される。一方の結束スタッカ４に集積された紙幣の枚数が所定の結束枚数（例えば、１００枚）に達すると、それ以降の紙幣は、他方の結束スタッカ４へ搬送される。ここでは、紙幣がまず第１結束スタッカ４Ａへ搬送されるものとする。
【０１０７】
第１結束スタッカ４Ａに集積された紙幣が結束枚数に達すると、制御部１２０は、第２搬送部８を制御し、把持ユニット８１により第１結束スタッカ４Ａ内の紙幣を把持し、該紙幣を結束部９へ搬送する。その後、制御部１２０は、結束部９を制御して、紙幣をテープＴで結束する。
【０１０８】
尚、第１結束スタッカ４Ａに集積された紙幣が結束枚数に達すると、それ以降の紙幣は第２結束スタッカ４Ｂに集積される。その後、第２結束スタッカ４Ｂに集積された紙幣が結束枚数に達したときには、それ以降の紙幣は再び第１結束スタッカ４Ａに集積されるようになる。このときまでには、第１結束スタッカ４Ａ内の紙幣の搬出が完了しているので、第１結束スタッカ４Ａ内は空の状態になっている。このように、２つの結束スタッカ４を設けることによって、紙幣の集積を連続して行いつつ、結束処理を行うことができる。
【０１０９】
続いて、制御部１２０は、第３搬送部１０を制御して、結束紙幣を投出口１１１から投出する。
【０１１０】
所定金種の紙幣であって且つ損券紙幣は、第１非結束スタッカ５Ａへ搬送される。こうして、所定金種の紙幣であって且つ損券紙幣は、第１非結束スタッカ５Ａに集積される。同様に、所定金種以外の金種の紙幣は、第２非結束スタッカ５Ｂへ搬送され、第２非結束スタッカ５Ｂに集積される。リジェクト紙幣も、リジェクトスタッカ６へ搬送され、リジェクトスタッカ６に集積される。
【０１１１】
以上の処理が、ホッパ部２に載置された紙幣が無くなるまで続けられる。ホッパ部２の紙幣の有無は、紙幣センサ２５によって検知される。
【０１１２】
ホッパ部２に載置された紙幣の処理が完了すると、リジェクト紙幣の取込及び識別を再度行う。つまり、オペレータは、リジェクト紙幣をリジェクトスタッカ６から抜き出して、ホッパ部２へ載置し、再び取込を行う。リジェクト紙幣は、何らかの理由で正常な紙幣として識別されなかった紙幣であるので、再び取込及び識別を試みる。それでも尚、リジェクト紙幣として識別される紙幣は、再びリジェクトスタッカ６に集積される。オペレータは、再び集積された紙幣を顧客に返却する。
【０１１３】
尚、第１及び第２非結束スタッカ５Ａ，５Ｂに集積された紙幣については、再度の取込を行わない。
【０１１４】
こうして、ホッパ部２に載置された紙幣の処理とリジェクト紙幣の再処理が完了すると、同一種類結束処理が完了し、顧客から渡された入金すべき紙幣の計数及び分別が終了する。タッチパネル１７には、計数された金額が表示される。オペレータは、顧客からその金額の承認を得るか、又は、その金額と顧客が記載した入金伝票に記載された金額との一致を確認すると、タッチパネル１７により入金額の確定操作を行う。確定操作が行われると、確定した入金額が上位装置（図示省略）へ通知され、入金処理が完了する。
【０１１５】
入金処理の完了後は、オペレータは、投出部１１に投出されている結束紙幣、結束スタッカ４に集積されている紙幣及び非結束スタッカ５に集積されている紙幣を取り出して所定の収納場所に収納する。
【０１１６】
以上の処理により、複数種類の紙幣が混在し且つバラ状態であった紙幣は、所定金種の正券紙幣と、所定金種の損券紙幣と、所定金種以外の金種の紙幣と、リジェクト紙幣とに分類され、所定金種の正券紙幣については結束枚数ごとに結束された状態となる。
【０１１７】
〈集積後の処理の詳細説明〉
以下に、紙幣が結束スタッカ４に集積されてから投出部１１へ投出されるまでの処理を詳細に説明する。
【０１１８】
−結束部までの紙幣の搬送−
紙幣Ｂの集積が完了すると、第２搬送部８は、紙幣Ｂを結束スタッカ４から結束部９へ搬送する。図６に、第２搬送部８が紙幣Ｂを結束スタッカ４から抜き出した状態の図を示す。図７に、第２搬送部８が紙幣Ｂをテープ輪Ｌの側方まで搬送した状態の図を示す。
【０１１９】
詳しくは、紙幣Ｂの集積が完了すると、第２搬送部８は、紙幣Ｂの集積が完了した結束スタッカ４まで移動し、結束スタッカ４内の紙幣Ｂを把持し、図６に示すように結束スタッカ４から抜き出す。
【０１２０】
続いて、第２搬送部８は、図７に示すように、紙幣Ｂを所定の第２位置まで上下方向へ移動させる。この第２位置は、紙幣Ｂを大テープ輪Ｌ２の中へ搬送する位置である。第２位置においては、紙幣Ｂの長手方向を向いて見たときに、紙幣Ｂは大テープ輪Ｌ２の中央付近に位置している。
【０１２１】
−テープ輪の作成−
制御部１２０は、第２搬送部８が紙幣Ｂを結束スタッカ４から第２位置まで搬送する間に大テープ輪Ｌ２を作成する。図８に、テープ把持部９２１がテープＴの先端部を把持した状態の図を示す。図９に、テープ把持部９２１がテープＴの先端部を把持した状態で回転し始めた状態の図を示す。図１０は、テープ把持部９２１が小テープ輪Ｌ１を作成した状態の図を示す。図１１は、大テープ輪Ｌ２の作成が完了した状態の図を示す。
【０１２２】
テープＴは、紙幣の結束動作を行わないときには、その先端が第１テープセンサ９２１０の近傍の所定位置となるように、リール部とテープ輪作成部９２との間の搬送路に沿って、連続して配設されていると共に、たるみが無いように張力が付与された状態で待機している。
【０１２３】
テープ輪Ｌの作成を開始する際には、送り出しローラ対９２０がテープＴを送り出す。このとき、ロックピン９２１４がベース部９２２をロック状態としかつ、テープ把持部９２１のステッピングモータを一方側に駆動することにより、テープ把持部９２１は、可動部９２３とベース板９２２ａとの間に隙間を空けた状態で且つその隙間に送り出しローラ対９２０から送り出されたテープＴが入り込む姿勢で待機している（図４（Ｂ）も参照）。
【０１２４】
テープＴの先端部が可動部９２３とベース板９２２ａとの間に入り込む量だけ送り出しローラ対９２０がテープＴを送り出すと、テープ把持部９２１のステッピングモータを他方側に駆動する。このことによって、回転シャフト９２４が回転駆動され、図８に示すように、可動部９２３とベース板９２２ａとでテープＴの先端部を把持する（図４（Ａ）も参照）。ねじりコイルばね９２４ｅの回転付勢力によって、可動部９２３は、ベース板９２２ａと共にテープＴの先端部を把持した状態になる。テープＴの先端部は、略水平な状態でテープ把持部９２１に把持されている。
【０１２５】
また、送り出しローラ対９２０による送り出しと並行して、印字部９７がテープＴに印字を行う。
【０１２６】
次に、ロックピン９２１４がベース部９２２をアンロック状態としかつ、テープ把持部９２１のステッピングモータが一方側に駆動をすることにより、テープ把持部９２１は、図９に示すように、ねじりコイルばね９２４ｅの回転付勢力によってテープＴの先端部を把持した状態で回転を始める。このとき、送り出しローラ対９２０によるテープＴの送り出しは継続している。テープ把持部９２１は、テープＴの先端を下方へ移動させるように、即ち、図９において反時計回りに回転する。
【０１２７】
テープ把持部９２１が略一回転すると、図１０に示すように、テープ輪Ｌが作成される。こうして、テープ把持部９２１が略一回転することにより作成されるテープ輪Ｌを「小テープ輪Ｌ１」と称する。テープ把持部９２１が把持するテープＴの先端部は、小テープ輪Ｌ１の上部に位置しており、小テープ輪Ｌ１は、テープ把持部９２１の下方に作成される。また、小テープ輪Ｌ１は、送り出しローラ対９２０よりも低い位置に作成されている。
【０１２８】
小テープ輪Ｌ１が形成されると、テープ把持部９２１の回転が停止する一方で、送り出しローラ対９２０によるテープＴの送り出しは継続される。その結果、小テープ輪Ｌ１は、徐々に大きくなっていく。ここで、テープ把持部９２１が把持するテープＴの先端部は、小テープ輪Ｌ１の上部に位置し、送り出しローラ対９２０からのテープＴは小テープ輪Ｌ１の上部から供給されるので、小テープ輪Ｌ１は、下方へ膨らんでいく。テープ把持部９２１の下方にはガイド部９２５が配置されているので、テープ輪Ｌはやがてガイド部９２５と接触し、ガイド部９２５によりテープ輪Ｌの形状が規定される。最終的に送り出しローラ対９２０からのテープＴの送り出し量が所定量に達したときには、図１１に示すように、ガイド部９２５により略長方形状に形成されたテープ輪Ｌが作成される。このテープ輪Ｌを「大テープ輪Ｌ２」と称する。大テープ輪Ｌ２は、下ガイド部９２６、第１側方ガイド部９２７及び第２側方ガイド部９２８に接触し、略長方形状に形成されている。それに加えて、大テープ輪Ｌ２は、第１〜第４コーナーガイド部９２９ａ〜９２９ｄに接触しており、これにより、角部が湾曲した長方形状に形成されている。
【０１２９】
尚、制御部１２０は、送り出しローラ対９２０からのテープＴの送り出し量が前記所定量になったときに第２テープセンサ９２１１がテープＴを検知していることをもって、大テープ輪Ｌ２が作成されたことを検知する。
【０１３０】
第２テープセンサ９２１１は、第４コーナーガイド部９２９ｄに案内されるテープＴを検知するように構成されている。つまり、第２テープセンサ９２１１は、大テープ輪Ｌ２の中へ紙幣Ｂが搬送された場合に該紙幣Ｂよりも上方の所定の位置におけるテープＴの有無を検知する。テープ輪Ｌの一部が内側に撓むとすれば、テープＴの自重によりテープ輪Ｌの上部が撓む可能性が高い。つまり、第２テープセンサ９２１１を前述の位置に配置することによって、テープ輪Ｌの撓みを精度良く検知することができる。
【０１３１】
この大テープ輪Ｌ２の作成は、図６，７に示すように、第２搬送部８が紙幣Ｂを結束スタッカ４から結束部９まで搬送する処理と並行して行われる。通常は（即ち、大テープ輪Ｌ２が一度のテープＴの送り出しで作成された場合には）、紙幣Ｂが第２位置へ搬送されたときには大テープ輪Ｌ２の作成が完了している。
【０１３２】
−テープの巻き付け−
図１２に、紙幣Ｂの厚み方向を向いて見たときの、紙幣Ｂが大テープ輪Ｌ２へ搬送されて、紙幣ＢにテープＴが巻き付けられるまでの各部の動作説明図を示す。図１２において、（Ａ）は、紙幣Ｂが大テープ輪Ｌ２へ搬送される直前の状態であり、（Ｂ）は、紙幣Ｂが大テープ輪Ｌ２へ搬送された状態であり、（Ｃ）は、紙幣ＢにテープＴが巻き付けられた状態である。図１３に、クランプ部９４が紙幣Ｂを押圧したときのガイド部９２５の状態を示す。尚、図１２においては、上クランプ部９４１の図示を省略している。また、図１２においては、下クランプ部９４３，９４４のうち紙幣Ｂに接触している部分をハッチングで示している。
【０１３３】
第２搬送部８は、前述の如く、図６，７に示すように、紙幣Ｂを前記第２位置まで搬送した後（図１２（Ａ）参照）、該紙幣Ｂを第２水平方向へ移動させ、大テープ輪Ｌ２の中へ進入させる。第２搬送部８の把持ユニット８１は、図１２（Ｂ）に示すように、紙幣Ｂを第２水平方向の所定の第３位置まで移動させる。この第３位置は、第２水平方向においてテープＴが紙幣Ｂの長手方向略中央に一致する位置である。
【０１３４】
紙幣Ｂが第３位置まで搬送されると共に、把持ユニット８１が、紙幣Ｂの結束予定部分（後の処理でテープＴが巻き付けられる部分）以外の部分を把持し直した後に、クランプ部９４が紙幣Ｂを集積方向へ、即ち、上下方向へ両側から押圧する。上クランプ部９４１及び下クランプ部９４３，９４４は、紙幣Ｂの長手方向において、紙幣Ｂの結束予定部分の両側を上下方向から挟持する。こうして、紙幣Ｂは、上クランプ部９４１と下クランプ部９４３，９４４とで上下方向から圧縮される。
【０１３５】
また、下クランプ部９４３，９４４は、下ガイド部９２６と一体的に構成されているので、下ガイド部９２６も下クランプ部９４３，９４４の上昇に伴って上方へ移動する。このとき、送り出しローラ対９２０は、下ガイド部９２６の上昇に連動して、テープＴを引き戻す。その結果、図１３に示すように、下ガイド部９２６の上昇に伴って、テープ輪Ｌが小さくなる。それに加えて、第２側方ガイド部９２８も、下ガイド部９２６の上昇に連動して上昇する。これにより、テープ輪Ｌが変形できるスペースを確保することができる。つまり、下ガイド部９２６の上昇がテープ輪Ｌが小さくなる速度に対して速すぎる場合には、テープ輪Ｌがガイド部９２５からはみ出すように変形する。このとき、第２側方ガイド部９２８は、テープ輪Ｌの側方から退避しているので、テープ輪Ｌは、もともと第２側方ガイド部９２８が位置していたスペースの方へ膨らむことができる。これにより、テープＴが折れ曲がることを防止することができる。
【０１３６】
下ガイド部９２６の上昇は、下クランプ部９４３，９４４の上昇と共に停止する。一方、送り出しローラ対９２０によるテープＴの引き戻しは、下ガイド部９２６の上昇が停止した後も継続される。最終的に、図１２（Ｃ）に示すように、テープＴが紙幣Ｂに巻き付けられる。
【０１３７】
−テープの接合、切断及び押印−
続いて、ヒータ９５がテープＴ同士を接合すると共に、カッタ９６がテープＴを切断する。それに加えて、押印部９８がテープＴに押印する。図１４は、テープＴの接合、切断及び押印の説明図であり、（Ａ）は、第１及び第２テープ押えがテープを押さえた状態を示し、（Ｂ）は、ヒータがテープを溶着し、カッタがテープを切断した状態を示す。
【０１３８】
テープＴの紙幣Ｂへの巻き付けが完了すると、ヒータ９５とカッタ９６とは一緒に下降する。このとき、第１及び第２テープ押え９９１，９９２もヒータ９５及びカッタ９６と共に下降する。
【０１３９】
まず、図１４（Ａ）に示すように、第１テープ押え９９１がベース板９２２ａの第１凹溝９２２ｃに嵌まり、第１凹溝９２２ｃの底壁との間でテープＴを挟持する。それと共に、第２テープ押え９９２が、可動部９２３の押え部９２３ｂの上面との間でテープＴを挟持する。このとき、ヒータ９５による溶着とカッタ９６による切断は行われていない。
【０１４０】
続いて、図１４（Ｂ）に示すように、ヒータ９５は、テープＴの先端部と一周したテープＴとが重なり合った部分とをテープ把持部９２１のベース板９２２ａとの間で挟み込む。詳しくは、ヒータ９５は、ベース板９２２ａのうち第１凹溝９２２ｃと第２凹溝９２２ｄとの間の部分でテープＴを挟持する。ヒータ９５は、重なり合ったテープＴ同士を熱によって溶着させる。
【０１４１】
ヒータ９５による熱溶着と並行して、カッタ９６は、テープＴを切断する。カッタ９６は、テープＴのうち、ヒータ９５による溶着部分よりも上流側、即ち、溶着部分よりも送り出しローラ対９２０側の部分（以下、「余剰部分」という）を切断する。カッタ９６は、第１及び第２ガイド部９２３ｃ，９２３ｄに案内されて、第２凹溝９２２ｄ内へ進入する。
【０１４２】
こうして、紙幣Ｂに巻き付けられたテープＴ同士が接合され、テープＴの余剰部分が切断される。紙幣Ｂを結束するテープＴにはミシン目が形成されているので、テープＴを取り除く際にはテープＴをミシン目において容易に切断することができる。
【０１４３】
テープＴの接合及び切断が完了すると、ヒータ９５、カッタ９６、第１テープ押え９９１及び第２テープ押え９９２が上昇する。
【０１４４】
さらに、押印部９８は、ヒータ９５による溶着及びカッタ９６による切断と並行して、テープＴに押印を行う。押印部９８は、下ガイド部９２６と共に上昇しており、テープＴの溶着及び切断時には紙幣Ｂの直下に位置している。送り出しローラ対９２０によりテープＴを引き戻してテープＴを紙幣Ｂに巻き付けた後、押印部９８は、スタンプ９８１を上昇させる。スタンプ９８１は、紙幣Ｂに巻き付けられたテープＴに当接し、該テープＴに押印する。
【０１４５】
−紙幣の排出−
テープＴにより結束された結束紙幣Ｂは、第２搬送部８及び第３搬送部１０により投出部１１まで搬送される。
【０１４６】
つまり、詳細な図示は省略するが、テープＴの接合、切断及び押印が完了すると、把持ユニット８１が結束紙幣Ｂを把持する。続いて、下クランプ部９４３，９４４が下降して、クランプ部９４による押圧が解除される。その後、把持ユニット８１は、結束紙幣Ｂを第２水平方向へ、紙幣を大テープ輪Ｌ２へ搬送したときとは反対側へ所定量だけ搬送する。
【０１４７】
次に、把持ユニット８１は、結束紙幣Ｂの把持を解除する。代わりに、第３搬送部１０が結束紙幣Ｂを把持する。
【０１４８】
続いて、第３搬送部１０が、結束紙幣Ｂを第１水平方向へ投出部１１に向かって搬送する。第３搬送部１０は、結束紙幣Ｂが投出部１１に近づくと、該結束紙幣Ｂの把持を徐々に解除する。最終的に、結束紙幣Ｂは、第３搬送部１０により投出部１１へ押し出される。
【０１４９】
投出部１１へ押し出された結束紙幣は、投出部１１を介して筐体１２の外部へ投出される。
【０１５０】
〈テープＴに癖が付くことを防止するための構成（その１）〉
前述したように、テープロールＴＲから引き出されたテープＴは、紙幣の結束を行わない間は、その先端が、第１テープセンサ９２１０の近傍の所定位置にありかつ、リール部とテープ輪作成部９２との間で、搬送路に沿って連続しかつ、たるみが無いように張力が付与された待機状態となっている。ここで、テープＴは、テープのベースとなる紙層と接着層とを有していて、比較的コシの強いものであり、張力が付与された状態で静止している間に、テープＴに癖が付いてしまう場合がある。特に、ここに示す紙幣処理装置１００は、そのレイアウトの関係上、リール部とテープ搬送部９１２との間で、テープＴが、ねじられており、待機状態にあるテープＴの特定の箇所、詳細には、図３に示すように、変換ローラ９１１６とテープ搬送部９１２との間の箇所において、ねじり癖が付く可能性がある。テープＴには、ねじり癖以外にも、搬送路に沿って連続して配設される結果、その搬送路に沿った曲がり癖が付く場合もあり得る。
【０１５１】
ねじれ癖が付いた状態のテープＴをテープ輪作成部９２に供給してテープ輪Ｌを作成するときには、第２コーナーガイド部９２９ｂから、第２側方ガイド部９２８を経て、第４コーナーガイド部９２９ｄ等に沿って配設されたテープＴが、第２テープセンサ９２１１をかわすようになって、所定形状の大テープ輪Ｌ２が形成されているにも拘わらず、第２テープセンサ９２１１がテープＴを検知できないことが起こり得る。例えば図１１に示す状態において、テープＴの位置が第２テープセンサ９２１１に対して、紙面に直交する方向にずれたような時である。その場合は、前述の通り、テープＴを引き戻して、テープ輪Ｌを作成し直すことになる。これは、紙幣の結束処理の遅れを招く。また、テープ輪Ｌを作成し直してもなお、テープＴに付いた癖によって第２テープセンサ９２１１がテープを検知できないときには、エラーとなって、オペレータは、紙幣処理装置１００の筐体１２を開けて、癖が付いたテープＴの部分を切って取り除く必要がある。このこともまた、紙幣の結束処理の遅れを招く。
【０１５２】
また、第２テープセンサ９２１１の誤検知だけでなく、テープＴに癖が付いていることによって、大テープ輪Ｌ２を所定の形状に作成することが実際にできなくなったり、また、ヒータ９５によってテープＴの溶着を行おうとしたときに、テープ同士が正確に重なり合わなくなって、両者の接合に支障が生じたり、さらに、カッタ９６によってテープＴを切断しようとしたときに、カッタ９６に対するテープＴの向きがずれることで、テープＴの切断に支障が生じたりすることも考えられる。
【０１５３】
そこで、この紙幣処理装置１００は、紙幣の結束を行わないときに、テープＴに癖が付くことを防止又は抑制するように構成されている。具体的に、テープセット部９１１は、待機状態のテープＴの張力が緩和されるように、テープロールＴＲを、テープＴの送り出し方向に所定量だけ回転させる。このとき、テープ搬送部９２はテープTの搬送を行わない。これにより、特に変換ローラ９１１６とテープ搬送部９１２との間において、テープＴの張力が実質的に無くなる、又は、張力が低下するため、待機状態のテープＴに癖が付くことが防止、又は、抑制される。
【０１５４】
テープＴの張力を緩和する特定動作（ここでは、テープロールＴＲを送り出し方向に回転させる動作）は、紙幣の結束を行わないときの、所定のタイミングで行う。具体的には、紙幣の結束を行わない状態が、所定時間経過したときに、テープセット部９１１は、テープロールＴＲを回転させて、テープＴの張力を緩和する。こうすることで、テープＴに癖が付く前に、テープＴの張力を緩和することができる。一方、所定時間が経過する前に、結束動作が開始するときには、テープ輪作成部９２に、直ちにテープＴを供給することが可能である。
【０１５５】
テープロールＴＲを送り出し方向に回転させることで、待機状態のテープＴの張力を緩和した後、紙幣の結束動作を再開するときには、テープセット部９１１が、テープロールＴＲを巻き取り方向に回転させることでテープＴのたるみを無くした上で、テープ搬送部９１２の送り出しローラ対９２０が、前述したように、テープ輪作成部９２へのテープＴを送り出す。こうすることで、テープＴの送り量を正確に管理することが可能になる。
【０１５６】
前述したように、テープＴは紙層及び接着層を有しており、この紙層及び接着層が水分を吸収することにより、テープＴは癖が付き易くなる。従って、湿度の高い環境下や、湿度変化が大きいときに、テープＴには、癖が付き易い。また、周囲温度が高いときや、温度変化が大きいときにも、テープＴには癖が付き易くなる。そこで、図５に仮想的に示すように、周囲温度を検出する温度センサ１００３、及び、周囲温度を検出する湿度センサ１００４を備えるようにし、温度センサ１００３の検出結果、及び、湿度センサ１００４の検出結果に応じて、特定動作を実行するタイミングを設定してもよい。具体的には、温度が比較的高いとき、及び／又は、湿度が比較的高いとき、また、温度変化が大きいとき、及び／又は、湿度変化が大きいときには、テープＴの張力を緩和するタイミングを早めるようにしてもよい（つまり、前述した紙幣の結束を行わない状態が、所定時間経過したときの、所定時間を早める）。こうすることで、テープＴに癖が付き易い環境下では、テープＴの張力が早めに緩和されるようになり、テープＴに癖が付いてしまうことを効果的に防止することができる。タイミングの設定は、センサが検出した温度及び湿度に応じて、デフォルトの所定時間を変更することによって可能である。尚、温度及び湿度の双方に基づくのではなく、温度のみ、又は、湿度のみに基づいて、張力緩和のタイミングを設定してもよい。
【０１５７】
尚、温度センサ１００３及び湿度センサ１００４は、紙幣処理装置１００の筐体１２外の温度及び湿度を検知してもよいし、紙幣処理装置１００の筐体１２内の温度及び湿度、特に、テープロールＴＲ付近の温度及び湿度や、リール部からテープ輪作成部９２までの搬送路付近の温度及び湿度を検知してもよい。
【０１５８】
紙幣の結束を行わない状態が、所定時間経過したときにテープＴの張力を緩和することとは異なり、テープセット部９１１は、紙幣の結束処理を行う一取引が終了したときに、テープロールＴＲを回転させてテープＴの張力を緩和するようにしてもよい。こうすることで、次の取引が開始するまでに、比較的長い時間が空いたときでも、テープＴに癖が付くことが防止される。また、一取引に係る結束処理を行っている最中は、待機中のテープＴに、たるみが無いため、テープ輪作成部９２へのテープＴの供給を直ぐに行うことができる。その結果、一取引中の、紙幣の結束動作をスムースに行うことができる。
【０１５９】
尚、テープセット部９１１は、一取引終了後ではなく、紙幣の結束が完了する毎に、テープロールＴＲを回転させて、テープＴの張力を緩和するようにしてもよい。
【０１６０】
テープセット部９１１はまた、オペレータによって、テープセット部９１１に新たなテープロールＴＲがセットされかつ、開閉蓋１２１が閉められたときに、テープＴの張力を緩和するようにしてもよい。つまり、前述したように、テープセット部９１１に新たなテープロールＴＲがセットされたときには、テープ搬送部９１２は、第１テープセンサ９２１０がテープＴの先端を検出するまで、テープＴをテープ輪作成部９２の方に搬送し、その後、テープセット部９１１のステッピングモータが、テープＴを巻き取る方向に、テープロールＴＲを回転させることで、テープＴの途中のたるみを無くす。その後に、テープセット部９１１は、テープロールＴＲを送り出し方向に回転させることによって、テープＴの張力を緩和してもよい。テープロールＴＲをセットした後、実際に紙幣の結束動作を行うまでの間に時間が空く可能性があるが、テープロールＴＲをセットしたときに、テープＴの張力を予め緩和しておくことで、テープＴに癖が付くことが防止され、次に紙幣の結束動作を行うときに、その結束動作をスムースに行うことが可能になる。
【０１６１】
テープセット部９１１はさらに、紙幣処理装置１００の操作部電源スイッチ１００２をオフにしたときに、テープロールＴＲを送り出し方向に回転させることによって、テープＴの張力を緩和してもよい。紙幣処理装置１００は、銀行等の業務時間外には操作部電源スイッチ１００２をオフにすることで、比較的長い時間、使用されないが、その間に、テープＴに癖が付くことを防止することが可能になる。その結果、紙幣処理装置１００の操作部電源スイッチ１００２をオンにして、紙幣の結束動作を再開するときには、テープＴに癖が付いていないため、結束動作をスムースに行うことが可能になる。
【０１６２】
尚、テープセット部９１１による、テープロールＴＲの回転動作である特定動作の実行タイミングについて、（１）「紙幣の結束を行わない状態が所定時間経過したとき」、（２）「紙幣の結束処理を行う一取引が終了したとき」、（３）「紙幣の結束を完了する毎」、（４）「テープロールＴＲをテープセット部９１１にセットしたとき」、（５）「紙幣処理装置１００の操作部電源スイッチ１００２をオフにしたとき」を例示したが、これらのタイミングは、可能な範囲で、任意に組み合わせることが可能である。
【０１６３】
〈テープＴに癖が付くことを防止するための構成（その２）〉
前記の構成では、待機状態にあるテープＴの張力を緩和するために、テープセット部９１１がテープロールＴＲを送り出す方向に回転させていた。これとは異なり、テープ搬送部９１２がテープＴをテープセット部９１１の方に所定量だけ搬送することでも、特に変換ローラ９１１６とテープ搬送部９１２との間において、テープＴの張力を緩和することが可能である。尚、このときに、テープセット部９１は駆動しない。
【０１６４】
テープ搬送部９１２がテープＴの張力を緩和するタイミングは、前述した（１）〜（５）の各タイミングを採用することが可能である。これらのタイミングは、可能な範囲で、任意に組み合わせることが可能である。また、前述したように、温度センサ１００３及び／又は湿度センサ１００４の検出結果に基づいて、テープＴの張力を緩和するタイミングを設定するようにしてもよい。
【０１６５】
テープ搬送部９１２がテープＴを戻すことにより、テープＴの先端は、第１テープセンサ９２１０の近傍の所定位置からずれるようになる。そのため、テープ搬送部９１２がテープＴを戻すことで、待機状態のテープＴの張力を緩和した後、紙幣の結束動作を再開するときには、先ず、テープＴの先端を検出するまで、テープ搬送部９１２がテープＴを送り方向に搬送し、その後、テープセット部９１１のステッピングモータが、テープＴを巻き取る方向に、テープロールＴＲを回転させることで、テープＴの途中のたるみを無くし、その上で、テープ搬送部９１２の送り出しローラ対９２０が、前述したように、テープ輪作成部９２へのテープＴを送り出すようにすればよい。尚、テープＴの先端を検出するまで、テープ搬送部９１２がテープＴを送り方向に搬送することによって、テープＴの途中のたるみが無くなるのであれば、テープロールＴＲを、テープＴを巻き取る方向に回転させることは、省略してもよい。
【０１６６】
〈テープＴに癖が付く箇所を変更するための構成〉
前述したように、この紙幣処理装置１００では、変換ローラ９１１６とテープ搬送部９１２との間でテープＴがねじられることで、当該箇所付近に付いたねじれ癖が、大テープ輪Ｌ２を作成するとき、より正確には、結束動作を再開してから２個目の大テープ輪Ｌ２を作成するときに、ガイド部９２５に位置するようになり、第２テープセンサ９２１１の誤検知を招き得る。つまり、テープＴの先端が第１テープセンサ９２１０に位置している状態のテープＴにおいて、特定の箇所にねじれ癖が付くことが、第２テープセンサ９２１１の誤検知を招き得る。
【０１６７】
そこで、前述したように、待機状態のテープＴの張力を緩和する代わりに、テープＴに癖が付く箇所を変更することにより、第２テープセンサ９２１１による検知に支障が生じることを回避してもよい。具体的には、紙幣の結束を行わないときに、テープＴの待機位置を適宜変更する。この紙幣処理装置１００において、テープＴの所定の待機位置（デフォルト位置）は、前述したように、テープＴの先端が第１テープセンサ９２１０の近傍の所定位置である。これにより、テープ輪Ｌの作成を開始するときには、テープ輪作成部９２に速やかにテープＴを供給することが可能になる。テープＴの待機位置を変更するために、テープ搬送部９１２は、テープ輪作成部の方にテープＴを搬送する送り出し方向、又は、テープセット部９１１の方にテープＴを搬送する引き戻し方向のいずれかに、テープＴを所定量だけ搬送する。テープ搬送部９１２の搬送動作に対応して、テープセット部９１も駆動をする。これにより、テープＴには、所定の張力が付与される。
【０１６８】
こうして、テープＴの待機位置を、デフォルト位置から変更することで、テープＴにねじれ癖が付いたとしても、そのねじれ癖が付く箇所は、テープＴをデフォルト位置で待機したときに、ねじれ癖が付く特定の箇所とは異なる箇所になる。その結果、テープＴに付いたねじれ癖によって、第４コーナーガイド部９２９ｄの付近に設けた第２テープセンサ９２１１による検知に支障が生じることを、防止又は抑制することができる。
【０１６９】
テープＴの待機位置を変更する動作は、紙幣の結束を行わないときに、所定のタイミングで実行することができる。前述したように、（１）「紙幣の結束を行わない状態が所定時間経過したとき」、（２）「紙幣の結束処理を行う一取引が終了したとき」、（３）「紙幣の結束を完了する毎」、（４）「テープロールＴＲをテープセット部９１１にセットしたとき」、（５）「紙幣処理装置１００の操作部電源スイッチ１００２をオフにしたとき」のいずれか１つ、又は、複数を採用することが可能である。
【０１７０】
また、テープＴの待機位置を、定期的に変更するようにすれば、テープＴを、所定の待機位置で継続して静止させる時間を短くすることができるため、テープＴに癖が付くことを防止、又は、抑制することが可能になる。そこで、テープ搬送部９１２は、紙幣の結束動作を行わないときに、所定の時間間隔で、テープＴの待機位置を逐次変更するようにしてもよい。逐次変更するテープＴの待機位置は、互いに異なっていてもよいし、例えば２つの待機位置を予め設定しておき、その２つの待機位置を交互に変更してもよい。尚、予め設定する待機位置は、２つに限らず３つ以上の適宜の範囲で設定することが可能である。
【０１７１】
〈テープＴに付いた癖を矯正するための構成〉
前述した各構成は、テープＴに、又はテープＴの特定の箇所に癖が付くことを防止又は抑制するが、これとは異なり、テープＴに癖が付いたときに、その癖を矯正した上で、テープ輪作成部９２にテープＴを供給するようにしてもよい。具体的に、テープ搬送部９１２は、紙幣の結束を行わない状態が所定時間以上経過した後に、紙幣の結束を開始するときには、テープ輪作成部９２にテープＴを送り出す前に、搬送路内でテープＴが行ったり来たりするように、テープＴを往復動させる。これにより、テープＴは、搬送路を構成するガイド内や、ローラ対の間を通過する間に、付いてしまった癖が矯正されるようになる。往復動は、１回、又は、複数回行えばよく、その回数は、癖を矯正可能な範囲で、適宜の回数に設定することが可能である。
【０１７２】
こうして、テープＴに癖が付いたときでも、テープＴをテープ輪作成部９２に供給する前に、その癖を矯正することで、テープＴに癖が付くことに起因する不具合を回避することが可能になる。つまり、第２テープセンサ９２１１の誤検知を回避したり、大テープ輪Ｌ２を確実に作成したり、テープＴ同士を確実に熱溶着したり、テープＴを確実に切断したりすることが可能になる。
【０１７３】
ここで、紙幣の結束を行わない状態が所定時間以上経過したことは、紙幣処理装置１００の操作部電源スイッチ１００２をオンにした状態で、結束処理を行わない状態が所定時間以上経過することの他にも、紙幣処理装置１００の操作部電源スイッチ１００２をオフにした状態で所定時間以上経過することも含まれる。従って、紙幣処理装置１００の操作部電源スイッチ１００２をオンにして、結束処理を開始するときには、テープ搬送部９１２による矯正動作が行われる。
【０１７４】
尚、テープ輪作成部９２にテープＴを供給する際に、テープＴに癖が付いていないことが明らかな場合、例えば、紙幣の結束を行わない状態が所定時間以上経過する前に、テープＴの供給を開始するとき等には、前述した矯正動作を省略して、テープＴの供給を開始してもよい。また、紙幣の結束を行わない状態が所定時間以上経過するか否かに拘わらず、テープＴの供給を行う前には、前述した矯正動作を行ってもよい。
【０１７５】
テープＴの癖を矯正するための構成は、前述した「テープＴに癖が付くことを防止するための構成（その１）」「テープＴに癖が付くことを防止するための構成（その２）」、及び、「テープＴに癖が付く箇所を変更するための構成」と組み合わせるようにしてもよい。つまり、テープＴの待機中は、テープＴに癖がつくことを防止したり、テープＴに癖が付く箇所を変更したりする一方で、紙幣の結束動作を行うべく、テープＴの供給を開始するときには、テープＴについた癖を矯正した上で、テープＴを供給するようにしてもよい。
【０１７６】
〈センサの誤検知を回避するための構成〉
前述したように、この紙幣処理装置１００では、テープＴにねじれ癖が付くことによって、第２テープセンサ９２１１の誤検知を招く場合がある。特に、誤検知は、待機中のテープＴにおいて、ねじれ癖が付いた箇所が、テープ輪作成部９２のガイド部９２５に至るときに起こり得るものであり、具体的には、紙幣の結束処理を再開してから２個目の大テープ輪Ｌ２を作成するときである。そこで、第２テープセンサ９２１１の誤検知が生じる可能性があるときには、第２テープセンサ９２１１の検知結果を無視して、テープ輪Ｌを作成するようにしてもよい。
【０１７７】
具体的にテープ輪作成部９２は、紙幣の結束を行わない状態で所定時間以上経過した後（尚、ここで言う、紙幣の結束を行わない状態は、紙幣処理装置１００の操作部電源がオフになった状態も含む）に、紙幣の結束動作を行うときには、その再開後、２個目の大テープ輪Ｌ２を作成するまでは、第２テープセンサ９２１１の検知結果を無視して、大テープ輪Ｌ２を作成する。つまり、第２テープセンサ９２１１がテープＴを検知しておらず、所定形状の大テープ輪Ｌ２が作成されていることが検知できていなくても、前述したように、テープ輪Ｌを作成し直すことは行わずに、紙幣の結束動作を、そのまま進める。大テープ輪Ｌ２への紙幣の挿入、及び、テープＴの巻き戻しを行って、紙幣束を作成する。そうして、２個目の大テープ輪Ｌ２を作成して紙幣を結束した後、３個目の大テープ輪Ｌ２を作成するとき以降では、前述したように、第２テープセンサ９２１１の検知結果を利用する。こうすることで、第２テープセンサ９２１１が誤検知をする可能性が高いときに、その誤検知によって紙幣の結束処理が中断してしまうことを未然に回避することが可能になり、紙幣の結束処理をスムースに実行することが可能になる。
【０１７８】
尚、第２テープセンサ９２１１の検知結果を無視している間に、所定形状の大テープ輪Ｌ２が実際に作成されていないときには、その後、紙幣を挿入する際、また、テープＴを巻き戻す際等に支障を来すことになり、その時点でエラーとなる。その場合は、紙幣処理装置１００を停止してオペレータがエラー解除を行う必要がある。但し、所定形状の大テープ輪Ｌ２が実際に作成されないことは、ほとんど生じないため、第２テープセンサ９２１１の検知結果を無視している間に、所定形状の大テープ輪Ｌ２が実際に作成されないことが重なることは、ほとんど起こらない。従って、第２テープセンサ９２１１の検知結果を無視することにより実質的な影響は、ほとんどない。
【０１７９】
尚、第２テープセンサ９２１１の検知結果を無視する回数は、２回に限らず、適宜の回数に設定することが可能である。
【０１８０】
また、第２テープセンサ９２１１の検知結果を無視する構成は、前述した「テープＴに癖が付くことを防止するための構成（その１）」「テープＴに癖が付くことを防止するための構成（その２）」「テープＴに癖が付く箇所を変更するための構成」、及び、「テープＴの癖を矯正するための構成」と組み合わせるようにしてもよい。つまり、テープＴの待機中に、テープＴに癖がつくことを防止したり、テープＴに癖が付く箇所を変更したり、また、テープＴの供給を開始する前に、テープＴについた癖を矯正したりした上でさらに、テープＴの供給の開始後、所定回数は、第２テープセンサ９２１１の検知結果を無視して、テープ輪Ｌを作成するようにしてもよい。
【０１８１】
〈紙幣処理装置１００の省電力モードに関する構成〉
紙幣処理装置１００は、省電力モードを有している。具体的には、紙幣の計数や、結束等の処理を行わないアイドル状態が所定時間経過したときには、紙幣処理装置１００は、省電力モードに移行する。省電力モードでは、ヒータ９５への通電をオフにすることで待機電力の消費量を低減する。通電をオフにされたヒータ９５の温度は低下する。
【０１８２】
計数又は結束処理を開始すべく、省電力モードから通常モードに復帰すると、ヒータ９５への通電を開始する。しかしながら、ヒータ９５の温度が、テープＴの熱溶着が可能となる所定温度に到達するまでは、紙幣処理装置１００は、処理を開始しない。このため、省電力モードからの復帰時に、処理の開始が待たされるという不都合がある。ヒータ９５が所定温度に昇温するまで処理の開始が待たされることは、省電力モードからの復帰時に限らず、操作部電源スイッチ１００２をオンにしたときも同様に起きるものである。
【０１８３】
ここで、ヒータ９５によってテープＴの溶着を行うタイミングは、少なくとも紙幣の集積が終了した後であり、紙幣の取込等を開始してから、ヒータ９５によってテープＴの溶着を行うまでの間にタイムラグがある。このことに着目し、この紙幣処理装置１００は、省電力モードからの復帰時、及び、電源オン時に、ヒータ９５の温度上昇を待たずに、可能な範囲で処理を開始するように構成されている。つまり、省電力モードからの復帰時及び操作部電源スイッチ１００２のオン時には、前述したように、ホッパ部２に載置された紙幣の取り込みを直ぐに開始し、紙幣の識別、搬送、集積を逐次行う。その間に、ヒータ９５への通電を行う。このことで、ヒータ９５の温度も上昇する。そうして、結束スタッカ４に所定枚数の紙幣が集積され、当該紙幣の結束を行うときには、ヒータ９５は所定温度にまで上昇しており、そのまま継続して、紙幣の結束及びテープＴの溶着が可能である。
【０１８４】
尚、紙幣の集積が終了してテープＴによる結束を行おうとしたときに、ヒータ温度が所定温度にまで到達していないときには、その時点で、ヒータ温度が上昇することを待つ。その際に、紙幣処理装置１００の動作を停止させてもよいし、紙幣の結束以外の動作（例えば識別、搬送、集積）をそのまま継続することが可能であれば、結束以外の動作は継続して行ってもよい。
【０１８５】
こうして省電力モードを備えた紙幣処理装置１００において、省電力モードからの復帰時に、紙幣処理装置１００の処理の開始が待たされることがないため、利便性の向上と、消費電力の低減との両立が可能になる。また、操作部電源スイッチ１００２をオンした時にも、処理を速やかに開始することが可能であるから、利便性が向上する。
【０１８６】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１８７】
前記実施形態について、以下のような構成としてもよい。
【０１８８】
前記実施形態では、紙葉類処理装置の例として紙幣処理装置１００について説明したが、紙葉類処理装置はこれに限られるものではない。例えば、紙葉類の識別、分配、集積は別の装置で行い、紙葉類処理装置は、バラ状態の紙葉類を搬送して集積部に集積し、該集積部に集積された紙葉類を結束する処理のみを行う装置であってもよい。さらに、別途、集積した紙葉類を、例えば人の手によって、大テープ輪Ｌ２に挿入し、結束を行う装置であってもよい。ここに開示する技術は、紙葉類をテープで結束するよう構成される装置に、広く適用可能である。また、紙葉類の例として紙幣について説明したが、紙葉類は紙幣に限られず、商品券等の金券であってもよい。
【０１８９】
また、前記紙幣処理装置１００の構成は、一例であって、これに限られるものではない。例えば、紙幣処理装置１００は、紙幣の結束の際に、テープ輪を作成せずに、紙幣の結束を行うように構成してもよい。
【産業上の利用可能性】
【０１９０】
以上説明したように、ここに開示された技術は、紙葉類を集積し、集積された紙葉類をテープで結束する紙葉類結束装置について有用である。
【符号の説明】
【０１９１】
１００    紙幣処理装置（紙葉類結束装置）
１００２  操作部電源スイッチ
１００３  温度センサ
１００４  湿度センサ
９１２  テープ搬送部
９１１１  リール（リール部）
９１１２  リール台（リール部）
９２      テープ輪作成部（テープ結束部）
９２１１  第２テープセンサ（センサ）
Ｂ        紙幣（紙葉類）
Ｌ        テープ輪
Ｌ１      小テープ輪
Ｌ２      大テープ輪
Ｔ        テープ
ＴＲ  テープロール
【図１】
2016030635.tif 000003
【図２】
2016030635.tif 000004
【図３】
2016030635.tif 000005
【図４】
2016030635.tif 000006
【図５】
2016030635.tif 000007
【図６】
2016030635.tif 000008
【図７】
2016030635.tif 000009
【図８】
2016030635.tif 000010
【図９】
2016030635.tif 000011
【図１０】
2016030635.tif 000012
【図１１】
2016030635.tif 000013
【図１２】
2016030635.tif 000014
【図１３】
2016030635.tif 000015
【図１４】
2016030635.tif 000016